(57)【特許請求の範囲】
【請求項１】
リレーノードにより実行される方法であって、
ソースドナーセルからターゲットドナーセルへのハンドオーバを初期化することと、
前記ハンドオーバの初期化に応答して前記ターゲットドナーセルからリレー構成メッセージングを受信することと、
前記リレー構成メッセージングに基づいて１つまたは複数のリレーバックホール制御チャネルを構成することに少なくとも部分的によって前記ターゲットドナーセルとの接続を確立することと
を備える、方法。
【請求項２】
前記１つまたは複数のリレーバックホール制御チャネルがリレー物理ダウンリンク制御チャネル（Ｒ−ＰＤＣＣＨ）を備える、請求項１に記載の方法。
【請求項３】
前記確立することが、関連するユーザの数に応じて、および前記リレー構成メッセージングに少なくとも部分的に基づいて、前記１つまたは複数のリレーバックホール制御チャネルのために割り振るべきリソースの量を判断することを備える、請求項１に記載の方法。
【請求項４】
前記リレー構成メッセージングが、ユニキャストレイヤ３（Ｌ３）メッセージまたはレイヤ１（Ｌ１）シグナリングのうちの少なくとも１つを備え、
前記確立することが、前記ユニキャストＬ３メッセージまたは前記Ｌ１シグナリングに基づいて前記１つまたは複数のリレーバックホール制御チャネルのためのリソース割振りを構成することを備える
請求項１に記載の方法。
【請求項５】
前記リレー構成メッセージングがインデックス情報を備え、
前記構成することが、
前記１つまたは複数のリレーバックホール制御チャネルのための候補リソース割振りのセットに関係する情報と、候補リソース割振りの前記セット中の候補リソース割振りにそれぞれ関連するインデックスを取得することと、
前記インデックス情報内に与えられているインデックスを識別することと、
前記インデックス情報内に与えられている前記インデックスに対応する候補リソース割振りに従って前記１つまたは複数のリレーバックホール制御チャネルのためのリソース割振りを構成することと
を備える
請求項１に記載の方法。
【請求項６】
前記１つまたは複数のリレーバックホール制御チャネルのための前記リソース割振りがリソースブロック（ＲＢ）の量に対応し、
前記構成することが、前記リレー構成メッセージング内の追加のＲＢの示された数を識別することと、前記１つまたは複数のリレーバックホール制御チャネルによる使用のために前記示された数の追加のＲＢを割り振ることとを備える
請求項５に記載の方法。
【請求項７】
前記ターゲットドナーセルから更新されたリレー構成メッセージングを受信することと、
前記更新されたリレー構成メッセージングに基づいて前記１つまたは複数のリレーバックホール制御チャネルの構成を更新することと
をさらに備える、請求項１に記載の方法。
【請求項８】
前記初期化することが、モバイルデバイスハンドオーバを初期化することを備え、
前記受信することが、前記ターゲットドナーセルとのリレーノードとしての識別を確立することと、前記ターゲットドナーセルとのリレーノードとしての識別を確立したことに応答して前記ターゲットドナーセルから前記リレー構成メッセージングを受信することとを備える
請求項１に記載の方法。
【請求項９】
ソースドナーセルとターゲットドナーセルとに関係するデータを記憶するメモリと、
前記ソースドナーセルから前記ターゲットドナーセルへのハンドオーバを初期化し、前記ハンドオーバの初期化に応答して前記ターゲットドナーセルからリレー構成メッセージングを受信し、前記リレー構成メッセージングに基づいて１つまたは複数のリレーバックホール制御チャネルを構成することに少なくとも部分的によって前記ターゲットドナーセルとの接続を確立するように構成されたプロセッサと
を備える、リレーノード。
【請求項１０】
前記１つまたは複数のリレーバックホール制御チャネルがリレー物理ダウンリンク制御チャネル（Ｒ−ＰＤＣＣＨ）を備える、請求項９に記載のリレーノード。
【請求項１１】
前記リレー構成メッセージングが、ユニキャストレイヤ３（Ｌ３）メッセージまたはレイヤ１（Ｌ１）シグナリングのうちの少なくとも１つを備え、前記プロセッサが、前記ユニキャストＬ３メッセージまたは前記Ｌ１シグナリングに基づいて前記１つまたは複数のリレーバックホール制御チャネルのためのリソース割振りを構成するようにさらに構成された、請求項９に記載のリレーノード。
【請求項１２】
前記リレー構成メッセージングがインデックス情報を備え、
前記プロセッサが、前記１つまたは複数のリレーバックホール制御チャネルのための候補リソース割振りのセットに関係する情報と、候補リソース割振りの前記セット中の候補リソース割振りにそれぞれ関連するインデックスとを取得し、前記インデックス情報内に与えられているインデックスを識別し、前記インデックス情報内に与えられている前記インデックスに対応する候補リソース割振りに従って前記１つまたは複数のリレーバックホール制御チャネルのためのリソース割振りを構成するようにさらに構成された
請求項９に記載のリレーノード。
【請求項１３】
前記１つまたは複数のリレーバックホール制御チャネルのための前記リソース割振りがリソースブロック（ＲＢ）の量に対応し、
前記プロセッサが、前記リレー構成メッセージング内の追加のＲＢの示された数を識別し、前記１つまたは複数のリレーバックホール制御チャネルによる使用のために前記示された数の追加のＲＢを割り振るようにさらに構成された
請求項１２に記載のリレーノード。
【請求項１４】
前記プロセッサが、モバイルデバイスハンドオーバを初期化し、前記ターゲットドナーセルとのリレーノードとしての識別を確立し、前記ターゲットドナーセルとのリレーノードとしての識別を確立したことに応答して前記ターゲットドナーセルから前記リレー構成メッセージングを受信するようにさらに構成された、請求項９に記載のリレーノード。
【請求項１５】
ドナー発展型ノードＢ（ｅＮＢ）へのハンドオーバに関係する構成メッセージングを前記ドナーｅＮＢから取得するための手段と、
前記構成メッセージングに少なくとも部分的に基づいて前記ドナーｅＮＢとの通信のための１つまたは複数のリレーバックホール制御チャネルを初期化するための手段と
を備える、リレーノード。
【請求項１６】
前記１つまたは複数のリレーバックホール制御チャネルがリレー物理ダウンリンク制御チャネル（Ｒ−ＰＤＣＣＨ）を備える、請求項１５に記載のリレーノード。
【請求項１７】
前記構成メッセージングが、ユニキャストレイヤ３（Ｌ３）メッセージまたはレイヤ１（Ｌ１）シグナリングのうちの少なくとも１つを備え、
前記初期化するための手段が、前記ユニキャストＬ３メッセージまたは前記Ｌ１シグナリングに基づいて前記１つまたは複数のリレーバックホール制御チャネルのためのリソース割振りを構成するための手段を備える
請求項１５に記載のリレーノード。
【請求項１８】
前記装置が、前記ドナーｅＮＢへの前記ハンドオーバをモバイルデバイスハンドオーバとして初期化するための手段をさらに備え、
前記取得するための手段が、
前記ドナーｅＮＢとのリレーノードとしての識別を確立するための手段と、
前記ドナーｅＮＢとのリレーノードとしての識別を確立したことに応答して前記ドナーｅＮＢから前記構成メッセージングを取得するための手段と
を備える
請求項１５に記載のリレーノード。
【請求項１９】
ドナー発展型ノードＢ（ｅＮＢ）へのハンドオーバに関係する構成メッセージングを前記ドナーｅＮＢから取得することをコンピュータに行わせるためのコードと、
前記構成メッセージングに少なくとも部分的に基づいて前記ドナーｅＮＢとの通信のための１つまたは複数のリレーバックホール制御チャネルを初期化することをリレーノード内のコンピュータに行わせるためのコードと
を記録した、コンピュータ読み取り可能な記録媒体。
【請求項２０】
ターゲットドナーセルによって実行される方法であって、
ネットワーク装置のハンドオーバに関連する前記ネットワーク装置からの通信サービスの要求された初期化を検出することと、
前記ネットワーク装置をリレーノードとして識別することと、
前記ネットワーク装置をリレーノードとして識別したことに応答して前記ネットワーク装置にリレー構成メッセージングを通信することに少なくとも部分的によって１つまたは複数のリレーバックホール制御チャネル上で前記ネットワーク装置との通信を確立することと
を備える、方法。
【請求項２１】
前記１つまたは複数のリレーバックホール制御チャネルがリレー物理ダウンリンク制御チャネル（Ｒ−ＰＤＣＣＨ）を備える、請求項２０に記載の方法。
【請求項２２】
前記確立することが、前記ネットワーク装置にユニキャストレイヤ３（Ｌ３）リレー構成メッセージングまたはレイヤ１（Ｌ１）リレー構成メッセージングのうちの少なくとも１つを通信することを備える、請求項２０に記載の方法。
【請求項２３】
前記確立することは、前記リレー構成メッセージングを介して前記ネットワーク装置によって前記１つまたは複数のリレーバックホール制御チャネルに関連付けられるべきリソースの量をダイレクトすることを備える、請求項２０に記載の方法。
【請求項２４】
前記ダイレクトすることは、サービスされるリレーノードの数に応じて前記ネットワーク装置によって前記１つまたは複数のリレーバックホール制御チャネルに関連付けられるべきリソースの前記量をダイレクトすることを備える、請求項２３に記載の方法。
【請求項２５】
前記ダイレクトすることが、
少なくとも１つの候補リソース割振りと、前記少なくとも１つの候補リソース割振りにそれぞれ関連するインデックスとを識別することと、
前記１つまたは複数のリレーバックホール制御チャネルのために前記ネットワーク装置によって利用されるべき候補リソース割振りと、前記ネットワーク装置によって利用されるべき前記候補リソース割振りに対応するインデックスとを選択し、それによって選択されたインデックスを取得することと、
前記リレー構成メッセージング内で前記選択されたインデックスを前記ネットワーク装置に通信することと
を備える、請求項２３に記載の方法。
【請求項２６】
前記ネットワーク装置によって前記１つまたは複数のリレーバックホール制御チャネルに関連付けられるべきリソースの前記量が１つまたは複数のリソースブロック（ＲＢ）に対応し、
前記ダイレクトすることが、前記リレー構成メッセージング中のあらかじめ定義されたバックホールＲＢ上に、前記１つまたは複数のリレーバックホール制御チャネルに関連付けられるべきいくつかの追加のＲＢを埋め込むことを備える
請求項２３に記載の方法。
【請求項２７】
前記１つまたは複数のリレーバックホール制御チャネルのために前記ネットワーク装置によって利用されるべき更新されたリソース割振りを識別することと、
前記更新されたリソース割振りを示す更新されたリレー構成メッセージングを前記ネットワーク装置に通信することと
をさらに備える、請求項２３に記載の方法。
【請求項２８】
前記方法が、前記ネットワーク装置に対する通信サービスの前記要求された初期化に応答して前記ネットワーク装置に対するモバイルデバイスハンドオーバを初期化することをさらに備え、
前記識別することが、前記モバイルデバイスハンドオーバに関する前記ネットワーク装置から受信されたシグナリングに少なくとも部分的に基づいて前記ネットワーク装置をリレーノードとして識別することを備える
請求項２０に記載の方法。
【請求項２９】
ネットワーク装置に関係するデータを記憶するメモリと、
前記ネットワーク装置のハンドオーバに関連する前記ネットワーク装置からの通信サービスの要求された初期化を検出し、前記ネットワーク装置をリレーノードとして識別し、前記ネットワーク装置をリレーノードとして識別したことに応答して前記ネットワーク装置にリレー構成メッセージングを通信することに少なくとも部分的によって１つまたは複数のリレーバックホール制御チャネル上で前記ネットワーク装置との通信を確立するように構成されたプロセッサと
を備える、ワイヤレス通信装置。
【請求項３０】
前記１つまたは複数のリレーバックホール制御チャネルがリレー物理ダウンリンク制御チャネル（Ｒ−ＰＤＣＣＨ）を備える、請求項２９に記載のワイヤレス通信装置。
【請求項３１】
前記プロセッサが、前記ネットワーク装置にユニキャストレイヤ３（Ｌ３）リレー構成メッセージングまたはレイヤ１（Ｌ１）リレー構成メッセージングのうちの少なくとも１つを通信するようにさらに構成された、請求項２９に記載のワイヤレス通信装置。
【請求項３２】
前記プロセッサが、前記リレー構成メッセージングを介して前記ネットワーク装置によって前記１つまたは複数のリレーバックホール制御チャネルに関連付けられるべきリソースの量をダイレクトするようにさらに構成された、請求項２９に記載のワイヤレス通信装置。
【請求項３３】
前記プロセッサが、少なくとも１つの候補リソース割振りと、前記少なくとも１つの候補リソース割振りにそれぞれ関連するインデックスとを識別し、前記１つまたは複数のリレーバックホール制御チャネルのために前記ネットワーク装置によって利用されるべき候補リソース割振りと、前記ネットワーク装置によって利用されるべき前記候補リソース割振りに対応するインデックスとを選択し、それによって選択されたインデックスを取得し、前記リレー構成メッセージング内で前記選択されたインデックスを前記ネットワーク装置に通信するようにさらに構成された、請求項３２に記載のワイヤレス通信装置。
【請求項３４】
前記ネットワーク装置によって前記１つまたは複数のリレーバックホール制御チャネルに関連付けられるべきリソースの前記量が１つまたは複数のリソースブロック（ＲＢ）に対応し、
前記プロセッサが、前記リレー構成メッセージング中のあらかじめ定義されたバックホールＲＢ上に、前記１つまたは複数のリレーバックホール制御チャネルに関連付けられるべきいくつかの追加のＲＢを埋め込むようにさらに構成された
請求項３２に記載のワイヤレス通信装置。
【請求項３５】
前記プロセッサが、前記ネットワーク装置に対する通信サービスの前記要求された初期化に応答して前記ネットワーク装置に対するモバイルデバイスハンドオーバを初期化し、
前記モバイルデバイスハンドオーバに関する前記ネットワーク装置から受信されたシグナリングに少なくとも部分的に基づいて前記ネットワーク装置をリレーノードとして識別するようにさらに構成された、請求項２９に記載のワイヤレス通信装置。
【請求項３６】
ネットワーク装置のハンドオーバに関係する前記ネットワーク装置からの通信サービスの要求された初期化を識別するための手段と、
前記ネットワーク装置をリレーノードとして識別するための手段と、
前記ネットワーク装置をリレーノードとして識別したことに応答して前記ネットワーク装置との通信のための１つまたは複数のリレーバックホール制御チャネルを確立するための手段と
を備える、装置。
【請求項３７】
前記１つまたは複数のリレーバックホール制御チャネルがリレー物理ダウンリンク制御チャネル（Ｒ−ＰＤＣＣＨ）を備える、請求項３６に記載の装置。
【請求項３８】
前記確立するための手段が、前記ネットワークデバイスにユニキャストレイヤ３（Ｌ３）リレー構成メッセージングまたはレイヤ１（Ｌ１）リレー構成シグナリングのうちの少なくとも１つを通信する手段を備える、請求項３６に記載の装置。
【請求項３９】
前記確立するための手段が、前記ネットワーク装置によって前記１つまたは複数のリレーバックホール制御チャネルに関連付けられるべきリソースの量をダイレクトするための手段を備える、請求項３６に記載の装置。
【請求項４０】
前記装置が、前記ネットワーク装置に対する通信サービスの前記要求された初期化に応答して前記ネットワーク装置に対するモバイルデバイスハンドオーバを初期化するための手段をさらに備え、
前記ネットワーク装置をリレーノードとして識別するための前記手段が、前記モバイルデバイスハンドオーバに関する前記ネットワーク装置から受信されたシグナリングに少なくとも部分的に基づいて前記ネットワーク装置をリレーノードとして識別するための手段を備える
請求項３６に記載の装置。
【請求項４１】
ネットワークデバイスのハンドオーバに関係する前記ネットワーク装置からの通信サービスの要求された初期化を識別することをコンピュータに行わせるためのコードと、
前記ネットワーク装置をリレーノードとして識別することをコンピュータに行わせるためのコードと、
前記ネットワーク装置をリレーノードとして識別したことに応答して前記ネットワーク装置との通信のための１つまたは複数のリレーバックホール制御チャネルを確立することをコンピュータに行わせるためのコードと
を記録した、コンピュータ読み取り可能な記録媒体。
【発明の詳細な説明】
【技術分野】
【０００１】
相互参照
本出願は、２００９年８月１２日に出願された「SYSTEMS AND METHODS OF RELAY BASE STATION BACK HAUL」と題する米国仮特許出願第６１／２３３，２７０号の利益を主張する。上述の出願は、それらの全体が参照により本明細書に組み込まれる。
【０００２】
本開示は、一般にワイヤレス通信に関し、より詳細には、ワイヤレス通信環境においてリレーノードのモビリティを管理するための技法に関する。
【背景技術】
【０００３】
ワイヤレス通信システムは、様々な通信サービスを提供するために広く展開されており、そのようなワイヤレス通信システムを介して、たとえば、ボイス、ビデオ、パケットデータ、ブロードキャスト、およびメッセージングサービスが提供され得る。これらのシステムは、利用可能なシステムリソースを共有することによって複数の端末のための通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。そのようなシステムでは、各端末は、順方向リンクおよび逆方向リンク上の伝送を介して１つまたは複数の基地局と通信することができる。順方向リンク（またはダウンリンク）は基地局から端末への通信リンクを指し、逆方向リンク（またはアップリンク）は端末から基地局への通信リンクを指す。この通信リンクは、単入力単出力（ＳＩＳＯ）、多入力単出力（ＭＩＳＯ）、または多入力多出力（ＭＩＭＯ）システムを介して確立され得る。
【０００５】
様々なワイヤレス通信システムでは、発展型ノードＢ（ｅＮＢ）と、ｅＮＢによってサービスされるそれぞれのユーザ機器ユニット（ＵＥ）との間の通信を向上させるために、リレーノードおよび／または他の好適なネットワークノードが利用され得る。たとえば、ハイブリッド自動再送要求（ＨＡＲＱ）送信および／または別の好適な反復送信方式の場合、リレーノードは、ｅＮＢとＵＥとの間の通信を検出し、必要に応じてＵＥへの再送信を支援することができる。
【０００６】
その上、いくつかのネットワーク実装形態では、リレーノードはモバイルであるように構成され得、モバイルリレーノードは、リレーノードに関連するそれぞれのＵＥに対して実質的に連続的な通信サービスを提供するためにそれぞれのｅＮＢの間をパスし得る。しかしながら、リレーノードが、ソースｅＮＢからターゲットｅＮＢへのハンドオフ手順中に問題に遭遇した場合、完全なサービス中断までを含む、関連するＵＥへのサービス劣化が生じ得る。したがって、関連するユーザに対する影響が最小である、ワイヤレス通信システム全体にわたってリレーノードのモビリティを管理するための技法を実装することが望ましいであろう。
【発明の概要】
【０００７】
以下で、請求する主題の様々な態様の基本的理解を与えるために、そのような態様の簡略化された概要を提示する。この概要は、すべての企図された態様の包括的な概観ではなく、主要または重要な要素を識別するものでも、そのような態様の範囲を定めるものでもない。その唯一の目的は、後で提示するより詳細な説明の導入として、開示する態様のいくつかの概念を簡略化された形で提示することである。
【０００８】
一態様によれば、方法について本明細書で説明する。本方法は、ソースドナーセルからターゲットドナーセルへのハンドオーバを初期化することと、ハンドオーバの初期化に応答してターゲットドナーセルからリレー構成メッセージングを受信することと、リレー構成メッセージングに基づいて１つまたは複数のリレーバックホール制御チャネルを構成することに少なくとも部分的によってターゲットドナーセルとの接続を確立することとを備えることができる。
【０００９】
本明細書で説明する第２の態様は、ソースドナーセルとターゲットドナーセルとに関係するデータを記憶するメモリを備えることができるワイヤレス通信装置に関する。本ワイヤレス通信装置は、ソースドナーセルからターゲットドナーセルへのハンドオーバを初期化し、ハンドオーバの初期化に応答してターゲットドナーセルからリレー構成メッセージングを受信し、リレー構成メッセージングに基づいて１つまたは複数のリレーバックホール制御チャネルを構成することに少なくとも部分的によってターゲットドナーセルとの接続を確立するように構成されたプロセッサをさらに備えることができる。
【００１０】
第３の態様は、ドナー発展型ノードＢ（ｅＮＢ）へのハンドオーバに関係する構成メッセージングをドナーｅＮＢから取得するための手段と、構成メッセージングに少なくとも部分的に基づいてドナーｅＮＢとの通信のための１つまたは複数のリレーバックホール制御チャネルを初期化するための手段とを備えることができる装置に関する。
【００１１】
本明細書で説明する第４の態様は、ドナーｅＮＢへのハンドオーバに関係する構成メッセージングをドナーｅＮＢから取得することをコンピュータに行わせるためのコードと、構成メッセージングに少なくとも部分的に基づいてドナーｅＮＢとの通信のための１つまたは複数のリレーバックホール制御チャネルを初期化することをコンピュータに行わせるためのコードとを備えるコンピュータ可読媒体を含むことができるコンピュータプログラム製品に関する。
【００１２】
本明細書の第５の態様は、ワイヤレス通信システムにおいて動作可能な方法に関する。本方法は、ネットワーク装置のハンドオーバに関連するネットワーク装置に対する通信サービスの要求された初期化を検出することと、ネットワーク装置をリレーノードとして識別することと、ネットワーク装置をリレーノードとして識別したことに応答してネットワーク装置にリレー構成メッセージングを通信することに少なくとも部分的によって１つまたは複数のリレーバックホール制御チャネル上でネットワーク装置との通信を確立することとを備えることができる。
【００１３】
本明細書で説明する第６の態様は、ネットワーク装置に関係するデータを記憶するメモリを備えることができるワイヤレス通信装置に関する。本ワイヤレス通信装置は、ネットワーク装置のハンドオーバに関連するネットワーク装置に対する通信サービスの要求された初期化を検出し、ネットワーク装置をリレーノードとして識別し、ネットワーク装置をリレーノードとして識別したことに応答してネットワーク装置にリレー構成メッセージングを通信することに少なくとも部分的によって１つまたは複数のリレーバックホール制御チャネル上でネットワーク装置との通信を確立するように構成されたプロセッサをさらに備えることができる。
【００１４】
第７の態様は、ネットワークデバイスのハンドオーバに関係するネットワークデバイスに対する通信サービスの要求された初期化を識別するための手段と、ネットワークデバイスをリレーノードとして識別するための手段と、ネットワークデバイスをリレーノードとして識別したことに応答してネットワークデバイスとの通信のための１つまたは複数のリレーバックホール制御チャネルを確立するための手段とを備えることができる装置に関する。
【００１５】
本明細書で説明する第８の態様は、ネットワークデバイスのハンドオーバに関係するネットワークデバイスに対する通信サービスの要求された初期化を識別することをコンピュータに行わせるためのコードと、ネットワークデバイスをリレーノードとして識別することをコンピュータに行わせるためのコードと、ネットワークデバイスをリレーノードとして識別したことに応答してネットワークデバイスとの通信のための１つまたは複数のリレーバックホール制御チャネルを確立することをコンピュータに行わせるためのコードとを備えるコンピュータ可読媒体を含むことができるコンピュータプログラム製品に関する。
【００１６】
上記および関係する目的を達成するために、請求する主題の１つまたは複数の態様は、以下で十分に説明し、特に特許請求の範囲で指摘する特徴を備える。以下の説明および添付の図面に、請求する主題のいくつかの例示的な態様を詳細に記載する。ただし、これらの態様は、請求する主題の原理を採用することができる様々な方法のほんのいくつかを示すものである。さらに、開示する態様は、すべてのそのような態様およびそれらの均等物を含むものとする。
【図面の簡単な説明】
【００１７】
【図１】様々な態様による、ワイヤレス通信システム内でモバイルリレーノードの動作を可能にするシステムのブロック図。
【図２】様々な態様による、リレーハンドオーバに関するリレーノードのリソース割当てのためのシステムのブロック図。
【図３】様々な態様による、リレーハンドオーバに関するリレーノードのリソース割当てのためのシステムのブロック図。
【図４】様々な態様による、リレーハンドオーバに関するリレーノードによって利用されるリソース区分を構成するためのシステムのブロック図。
【図５】ワイヤレス通信システムにおける様々なデバイスによって利用され得る例示的なサブフレーム構成を示す図。
【図６】様々な態様による、リレーハンドオーバに関するリレーノードによって利用されるリソース区分を構成するための別のシステムのブロック図。
【図７】様々な態様による、リレーハンドオーバに関連する必要とされるＱｏＳを維持するためのシステムのブロック図。
【図８】ワイヤレス通信環境内でリレーノードのモビリティを管理するための方法を示す流れ図。
【図９】ワイヤレス通信環境内でリレーノードのモビリティを管理するための方法を示す流れ図。
【図１０】ワイヤレス通信環境内でリレーノードのモビリティを管理するための方法を示す流れ図。
【図１１】ワイヤレス通信環境内でリレーノードのモビリティを管理するための方法を示す流れ図。
【図１２】ワイヤレス通信環境内でリレーノードのモビリティを管理するための方法を示す流れ図。
【図１３】ワイヤレス通信環境内でリレーノードのモビリティを管理するための方法を示す流れ図。
【図１４】ワイヤレス通信環境内でリレーノードのモビリティを管理するための方法を示す流れ図。
【図１５】ワイヤレス通信システム内でリレーノードハンドオーバの調整を可能にする装置のブロック図。
【図１６】ワイヤレス通信システム内でリレーノードハンドオーバの調整を可能にする装置のブロック図。
【図１７】ワイヤレス通信システム内でリレーノードハンドオーバの調整を可能にする装置のブロック図。
【図１８】ワイヤレス通信システム内でリレーノードハンドオーバの調整を可能にする装置のブロック図。
【図１９】ワイヤレス通信システム内でリレーノードハンドオーバの調整を可能にする装置のブロック図。
【図２０】ワイヤレス通信システム内でリレーノードハンドオーバの調整を可能にする装置のブロック図。
【図２１】ワイヤレス通信システム内でリレーノードハンドオーバの調整を可能にする装置のブロック図。
【図２２】本明細書に記載の様々な態様によるワイヤレス多元接続通信システムを示す図。
【図２３】本明細書で説明する様々な態様が機能することができる、例示的なワイヤレス通信システムを示すブロック図。
【発明を実施するための形態】
【００１８】
次に、図面を参照しながら請求する主題の様々な態様について説明する。図面全体にわたって、同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。他の例では、１つまたは複数の態様の説明を円滑にするために、よく知られている構造およびデバイスをブロック図の形態で示す。
【００１９】
本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、集積回路、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク上の別の構成要素と信号を介して相互作用する１つの構成要素からのデータ）を有する信号によるなど、ローカルおよび／またはリモートプロセスを介して通信することができる。
【００２０】
さらに、本明細書ではワイヤレス端末および／または基地局に関する様々な態様について説明する。ワイヤレス端末は、ユーザにボイスおよび／またはデータ接続性を提供するデバイスを指すことができる。ワイヤレス端末は、ラップトップコンピュータまたはデスクトップコンピュータなどのコンピューティングデバイスに接続することができ、あるいは携帯情報端末（ＰＤＡ）などの自蔵式デバイスであり得る。ワイヤレス端末はまた、システム、加入者ユニット、加入者局、移動局、モバイル、リモート局、アクセスポイント、リモート端末、アクセス端末、ユーザ端末、ユーザエージェント、ユーザデバイス、またはユーザ機器（ＵＥ）と呼ばれることがある。ワイヤレス端末は、加入者局、ワイヤレスデバイス、セルラー電話、ＰＣＳ電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された他の処理デバイスであり得る。基地局（たとえば、アクセスポイントまたはノードＢ）は、１つまたは複数のセクタを通して、エアインターフェースを介してワイヤレス端末と通信する、アクセスネットワーク中のデバイスを指すことができる。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整する。
【００２１】
その上、本明細書で説明する様々な機能は、ハードウェア、ソフトウェア、ファームウェア、またはそれらの組合せで実装され得る。ソフトウェアで実装した場合、機能は、１つまたは複数の命令またはコードとしてコンピュータ可読媒体に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）（ＢＤ）を含み、ディスク（disk）は、通常、データを磁気的に再生し、ディスク（disc）は、データをレーザで光学的に再生する。上記の組合せもコンピュータ可読媒体の範囲内に含めるべきである。
【００２２】
本明細書で説明する様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム、および他のそのようなシステムなど、様々なワイヤレス通信システムに対して使用され得る。「システム」および「ネットワーク」という用語は、本明細書ではしばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ＣＤＭＡ２０００は、ＩＳ−２０００、ＩＳ−９５およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用する今度のリリースである。ＵＴＲＡ、Ｅ−ＵＴＲＡ、ＵＭＴＳ、ＬＴＥおよびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。
【００２３】
いくつかのデバイス、構成要素、モジュールなどを含むことができるシステムに関して、様々な態様を提示する。様々なシステムは、追加のデバイス、構成要素、モジュールなどを含み、および／または各図に関連して説明するデバイス、構成要素、モジュールなどの一部もしくは全部を省略し得ることを理解および諒解されたい。これらの手法の組合せを使用することもできる。
【００２４】
次に図面を参照すると、図１に、本明細書で説明する様々な態様による、ワイヤレス通信システム内でモバイルリレーノードの動作を可能にするシステム１００が示されている。図１に示すように、システム１００は、（本明細書では、ノードＢまたはｅＮＢ、セルまたはネットワークセル、基地局、アクセスポイント（ＡＰ）などとも呼ぶ）１つまたは複数のネットワークノードを含むことができる。システム１００中のネットワークノードは、たとえば、本明細書ではドナーｅＮＢ（ＤｅＮＢ）と呼ぶ、１つまたは複数のＵＥ１４０に間接的にまたは直接通信サービスを与える１つまたは複数のネットワークノード（図示せず）を含むことができる。たとえば、システム１００に示すように、ＤｅＮＢは、以下でさらに詳細に説明するように、ソースｅＮＢ１２０とターゲットｅＮＢ１３０とを含むことができる。さらに、システム１００中のネットワークノードは、それぞれのＤｅＮＢと１つまたは複数のＵＥ１４０との間の通信を可能にすることを支援することができる１つまたは複数のリレーノード（ＲＮ）１１０を含むことができる。本明細書で使用するＵＥは、アクセス端末（ＡＴ）、モバイル端末、ユーザまたは移動局などと呼ばれることもある。
【００２５】
一態様によれば、ＵＥ１４０は、ソースｅＮＢ１２０、ターゲットｅＮＢ１３０、および／またはＲＮ１１０との１つまたは複数のアップリンク（ＵＬ、本明細書では逆方向リンク（ＲＬ）とも呼ぶ）通信に関与することができ、同様に、ノード１１０〜１３０は、（１つまたは複数の）ＵＥ１４０への１つまたは複数のダウンリンク（ＤＬ、本明細書では順方向リンク（ＦＬ）とも呼ぶ）通信に関与することができる。また、ＲＮ１１０は、（１つまたは複数の）ＵＥ１４０との１つまたは複数のアクセス通信および／またはソースｅＮＢ１２０および／またはターゲットｅＮＢ１３０とのバックホール通信に関与することができる。本明細書で使用する「アップリンクアクセス」は（１つまたは複数の）ＵＥ１４０からＲＮ１１０への通信を指し、「ダウンリンクアクセス」はＲＮ１１０から（１つまたは複数の）ＵＥ１４０への通信を指す。同様に、「アップリンクバックホール」はＲＮ１１０からソースｅＮＢ１２０および／またはターゲットｅＮＢ１３０への通信を指し、「ダウンリンクバックホール」はソースｅＮＢ１２０および／またはターゲットｅＮＢ１３０からのＲＮ１１０への通信を指す。追加または代替として、ＲＮ１１０、ｅＮＢ１２０および／または１３０、ならびに／あるいは（１つまたは複数の）ＵＥ１４０は、互いとの、システム１００中の他のデバイスまたはエンティティとの、ならびに／あるいは任意の他の好適なエンティティとの任意の好適な（１つまたは複数の）通信に関与することができる。
【００２６】
一例では、ＲＮ１１０とｅＮＢ１２０および／または１３０との間のバックホール通信は任意の好適な方法で行われ得る。たとえば、ＲＮ１１０からｅＮＢ１２０および／または１３０へのバックホールリンクは、直接リンク、（たとえば、図示されていない中央ネットワークエンティティを介した）間接リンク、および／または任意の他の好適な（１つまたは複数の）リンクであり得る。さらに、ＲＮ１１０と一部のｅＮＢ１２０および／または１３０との間の通信リンク、ならびにＲＮ１１０と一部のＵＥ１４０との間の通信リンクは、任意の好適なワイヤードまたはワイヤレス通信技術あるいは技術の組合せを使用して実装され得る。この目的で、ＲＮ１１０、ｅＮＢ１２０および／または１３０、ならびに／あるいは（１つまたは複数の）ＵＥ１４０は、それぞれのトランシーバ、ネットワークポートまたはインターフェース、ならびに／あるいはシステム１００内での通信のための任意の他の好適な手段を利用することができる。
【００２７】
一態様によれば、ＲＮ１１０は、ソースｅＮＢ１２０、ターゲットｅＮＢ１３０など、システム１００中のｅＮＢの機能の一部または全部を含むことができる。代替的に、ＲＮ１１０は、ＤｅＮＢと関係するＵＥ１４０との間の通を支援することに専用の特殊なネットワークノードであり得る。たとえば、ＲＮ１１０は、前記ＵＥ１４０に対して透過的な方法でＤｅＮＢから１つまたは複数のＵＥ１４０に情報をリレーするように動作することができる。したがって、一例では、ＲＮ１１０は、ＲＮ１１０を識別する物理的信号をＵＥ１４０に供給することなしに、ＵＥ１４０に通信することができる。代替的に、ＲＮ１１０は、ＵＥ１４０に対して完全または部分的に非透過的な方法で動作することができる。たとえば、ＲＮ１１０は、ＵＥ１４０においてＵＥ１４０とＲＮ１１０との間のチャネルに対応するチャネル品質報告を可能にするために、それの存在をＵＥ１４０に知らせることができる。
【００２８】
別の態様によれば、ＲＮ１１０は固定リレーまたはモバイルリレーとして実装され得る。一例では、固定リレーは、所与の地理的ロケーションに固定され得、それのロケーションの範囲内で１つまたは複数のｅＮＢに関連するように構成され得る。固定リレーが関連するそれぞれのｅＮＢは、既定または場合によっては不変であり得、あるいは代替的に、固定リレーは、様々な基準に基づいて経時的に様々なｅＮＢに関連することができる。代替的に、モバイルリレーは地理的エリア間での移動が可能であり得る。モバイルリレーは、たとえば、大量輸送車両（たとえば、旅客列車、バス、飛行機など）の場合、車両がそれぞれのネットワークセルを移動するとき、車両の中の乗客に連続通信カバレージを与えるために利用され得る。モバイルリレーが、あるｅＮＢのカバレージから別のｅＮＢのカバレージに移動するとき、リレーは、新しいｅＮＢに関連するためにハンドオーバ動作を実行することができる。たとえば、システム１００に示すように、ＲＮ１１０は、ソースｅＮＢ１２０との関連付けを中止し、ターゲットｅＮＢ１３０との関連付けを確立するためにハンドオーバ動作を実行することができる。本明細書で使用する、モバイルＲＮ１１０によって行われるハンドオーバ動作を「リレーハンドオーバ」と呼ぶ。
【００２９】
モバイルＲＮ１１０は、実装形態に応じて、カバレージエリア間の比較的迅速な移動が可能であり得るので、モバイルＲＮ１１０は、場合によってはかなり頻繁なリレーハンドオーバを必要とすることがある。しかしながら、比較的高い周波数において実行されるリレーハンドオーバは、対応するＲＮ１１０と対話するそれぞれのＵＥ１４０に影響を及ぼし得ることが諒解できよう。たとえば、ＲＮ１１０とともに移動しないＵＥ１４０の場合、ＵＥ１４０は、ＲＮ１１０がＵＥ１４０の範囲の中に入るときにＲＮ１１０を検出し、それに関連することができる。しかしながら、ＲＮ１１０が、その後、ＵＥ１４０の範囲の中から移動するとき、ＵＥ１４０はサービング基地局にハンドオーバする必要がある。別の例では、ＲＮ１１０とともに移動するＵＥ１４０の場合、ＵＥ１４０は、ＲＮ１１０に関連し、ＵＥ１４０に対して実質的に透過的に行われるような方法でＲＮ１１０を通してそれぞれのｅＮＢと通信することができる。これを達成するために、ＲＮ１１０がソースｅＮＢ１２０のカバレージからターゲットｅＮＢ１３０のカバレージに移動するときにＲＮ１１０とターゲットｅＮＢ１３０と間のそれぞれの通信チャネルが確立されなければならない。しかしながら、（たとえば、通信障害、ターゲットｅＮＢ１３０が十分な時間量内に作動しなかったことなどにより）通信チャネルの確立が失敗したかまたは著しく遅延した場合、ＲＮ１１０とｅＮＢ１２０および１３０に対応するネットワークとの間の接続が失われ、ＲＮ１１０に関連するＵＥ１４０への通信サービスの劣化または損失を生じ得る。
【００３０】
したがって、ソースｅＮＢ１２０からターゲットｅＮＢ１３０へのＲＮ１１０のハンドオーバに関連するユーザエクスペリエンスの低減を緩和するために、システム１００中の様々なエンティティは、ＲＮ１１０のためのモビリティのサポートの向上を可能にするために、図１で示す１つまたは複数の方策を実装し得る。第１の例では、ＲＮ１１０および／またはターゲットｅＮＢ１３０は、モバイルリレーのハンドインまたはハンドアウトに基づいて、ターゲットｅＮＢ１３０において制御チャネルリソースの半静的割当てを可能にするためにバックホール構成モジュール１１２を利用することができる。第２の例では、ＲＮ１１０およびｅＮＢ１２０〜１３０は、様々な手段によってＲＮ１１０の無線リソース制御（ＲＲＣ）構成を実装することができる。たとえば、ＲＮ１１０の区分調整モジュール１１４、ソースｅＮＢ１２０の区分インジケータモジュール１２２、および／またはターゲットｅＮＢ１３０のリソース区分モジュール１３２は、ｅＮＢ１２０〜１３０とＲＮ１１０との間の通信のために利用されるアクセス／バックホールリソース区分構成を構成するために利用され得る。第３の例では、ＲＮ１１０および／またはｅＮＢ１２０〜１３０は、リレーハンドオーバ中にＱｏＳ要件の維持を保証するために、ＱｏＳ保持モジュール１１６および／または他の好適な手段を利用することができる。ＲＮ１１０およびｅＮＢ１２０〜１３０によって利用され得る技法の様々な例、ならびに図１で示すようなエンティティによって利用されるモジュールについて本明細書でさらに詳細に説明する。
【００３１】
一態様によれば、ＲＮ１１０とｅＮＢ１２０および／または１３０との間のバックホール通信のために、所定または構成可能な量のリソースが半静的に予約され、および／または割り振られ得る。たとえば、リレー物理ダウンリンク制御チャネル（Ｒ−ＰＤＣＣＨ）がｅＮＢ１２０または１３０からＲＮ１１０への通信のために割り当てられ得る。一例では、Ｒ−ＰＤＣＣＨのためのリソースは、時分割多重（ＴＤＭ）および／または周波数分割多重（ＦＤＭ）方法で予約され、または割り振られ得る。ＲＮ１１０がモバイルリレーである場合、それぞれのＲＮ１１０がｅＮＢ１２０および／または１３０のカバレージへおよびそれから移動することにより、ｅＮＢ１２０および／または１３０は潜在的に複数のＲＮ１１０をサービスすることができる。したがって、そのような場合、ｅＮＢ１２０および／または１３０に対応するドナーセルにおけるリレー制御リソースの予約および／または割振りは、セルによってサービスされるＲＮ１１０の数に基づいて調整され得る。
【００３２】
一例では、（たとえば、ハンドオーバ、ＲＮ１１０のアクティブ化などによる）ＲＮ１１０とターゲットｅＮＢ１３０との間の接続の確立および／または他のシステム変更時に、ＲＮ１１０とターゲットＵＥ１３０との間の通信のためにＲ−ＰＤＣＣＨおよび他の好適なチャネルのためのリソースが割り振られ得る。しかしながら、Ｒ−ＰＤＣＣＨ割振りおよび／または他の制御割振りがかなりの量のレイテンシを経験する場合、ＲＮ１１０に関連する１つまたは複数のＵＥ１４０は、部分的なアウテージから完全なアウテージまでを経験し得ることが諒解できよう。たとえば、ＲＮ１１０が、ハンドオーバ時にサービス不能であり、ターゲットｅＮＢ１３０との接続をドロップする場合、ＲＮ１１０および／またはターゲットｅＮＢ１３０に関連するすべてのＵＥ１４０は、結果としてそれらの接続がドロップされ得る。したがって、ＲＮ１１０とターゲットｅＮＢ１３０との間の通信のためのリソースをできるだけ速く確立することが望ましいであろうことが諒解できよう。
【００３３】
概して、ＵＥのハンドオーバのために実行されるものなど、ブロードキャスト制御チャネルセットアップはかなり遅いプロセスであることが諒解できよう。たとえば、多くの場合、ＵＥは、チャネルがセットアップされる前に、関連する周期に従って待つ必要がある。さらに、チャネルセットアップは、チャネルセットアップによって生じるシステム構成の変更に関係する他のサービスされるユーザのページングを必要とし得る。たとえば、１つまたは複数の制御チャネルのために所与のセルにおいて２つのリソースブロック（ＲＢ）がＦＤＭ様式で利用される場合、これらのチャネルへの変更をユーザに通知することは、実質的にすべてのユーザのページングを必要とし、これは概して（たとえば、秒のオーダーの）遅いプロセスである。
【００３４】
したがって、一態様によれば、ブロードキャストベースの制御チャネル再構成は上記のように遅いプロセスであるので、接続セットアップと実質的に同時にユニキャスト制御チャネルセットアップが利用され得る。これを図２中のシステム２００によってさらに詳細に示す。システム２００が示すように、システム２００中のＲＮ１１０および／または他のエンティティは、ソースドナーセル（たとえば、ソースｅＮＢ１２０、図２に図示せず）からターゲットドナーセル（たとえば、ターゲットｅＮＢ１３０）へのハンドオーバを初期化することができる。ハンドオーバの初期化に応答して、バックホール構成モジュール１１２および／またはＲＮ１１０に関連する他の手段は、構成シグナリング検出器２１２および／またはターゲットｅＮＢ１３０からリレー構成メッセージングを受信するための他の手段を利用することができる。さらに、ＲＮ１１０は、リレー構成メッセージングに基づいて１つまたは複数のリレーバックホール制御チャネル（たとえば、Ｒ−ＰＤＣＣＨなど）を構成することに少なくとも部分的によってターゲットｅＮＢ１３０との接続を確立するために構成シグナリングプロセッサ２１４または他の好適な機構を利用することができる。一例では、受信したリレー構成メッセージングに少なくとも部分的に基づいて、構成シグナリングプロセッサ２１４および／またはＲＮ１１０に関連する他の好適な機構は、関連するユーザの数に応じて１つまたは複数のリレーバックホール制御チャネルのために割り振るべきリソースの量を判断するために利用され得る。
【００３５】
相応して、ターゲットｅＮＢ１３０は、ＲＮ１１０またはＲＮ１１０のハンドオーバに関連する別の好適なネットワーク装置に対する通信サービスの要求された初期化を検出するように構成され得る。ターゲットｅＮＢ１３０は、ＲＮ１１０をリレーノードとして識別するように動作可能であり得るリレーノード識別器２２２をさらに含むことができる。ＲＮ１１０をリレーノードとして識別したことに応答して、ターゲットｅＮＢ１３０は、リレー構成メッセージングをＲＮ１１０に通信することに少なくとも部分的によって１つまたは複数のリレーバックホール制御チャネル上でＲＮ１１０との通信を確立するために、ＲＮ１１０および構成シグナリングモジュール２３４が使用する１つまたは複数のリレー制御チャネル（たとえば、Ｒ−ＰＤＣＣＨなど）を構成するためにバックホール構成生成器２３２をさらに利用することができる。
【００３６】
ブロードキャストベースのＲ−ＰＤＣＣＨまたは他の制御チャネル構成の場合、制御情報がマスタ情報ブロック（ＭＩＢ）またはシステム情報ブロック（ＳＩＢ）中で搬送され得ることが諒解できよう。代替的に、上記のようにブロードキャストベースの制御構成の速度が比較的遅いために、接続セットアップと実質的に同時にシステム２００内でユニキャスト制御再構成が実行され得る。したがって、ＭＩＢおよび／またはＳＩＢ中で制御チャネル情報を搬送することに加えて、制御チャネル情報は、ユニキャストレイヤ３（Ｌ３）メッセージングなど、ユニキャストシグナリングを介して構成モジュール２３４および／またはシステム２００中の他の好適な機構によってさらにシグナリングされ得る。
【００３７】
別の例では、構成シグナリングモジュール２３４は、たとえば、物理制御フォーマットインジケータチャネル（ＰＣＦＩＣＨ）と同様の方法で、ダイナミックレイヤ１（Ｌ１）シグナリングをＲＮ１１０に通信することができる。これは、たとえば、ＴＤＭ制御、ＦＤＭ制御、および／または任意の他の好適な（１つまたは複数の）制御タイプの場合に行われ得る。一態様によれば、ターゲットｅＮＢ１３０によって与えられるＬ１シグナリング、Ｌ３シグナリング、および／または他の好適なシグナリングは、１つまたは複数のリレーバックホール制御チャネルに関連付けられるべきリソースの量をダイレクトするために利用され得る。一例では、１つまたは複数のリレーバックホール制御チャネルに関連付けられるべきリソースの量は、ターゲットｅＮＢ１３０によってサービスされるリレーノードの数に応じて判断され得る。別の例では、各可能性のインデックスがブロードキャストされ得るように、（たとえば、インターリービングレベル、局所対分散などに基づく）可能な制御チャネルリソースのセットがあらかじめ定義され得る。したがって、たとえば、ターゲットｅＮＢ１３０は、少なくとも１つの候補リソース割振りと、少なくとも１つの候補リソース割振りにそれぞれ関連するインデックスとを識別し、１つまたは複数のリレーバックホール制御チャネルのためにＲＮ１１０によって利用されるべき候補リソース割振りと、選択されたインデックスを取得するためにＲＮ１１０によって利用されるべき候補リソース割振りに対応するインデックスとを選択し、リレー構成メッセージング内で選択されたインデックスをＲＮ１１０に通信することができる。
【００３８】
例として、制御のために所与の数のサブフレームが割り振られることを１つまたは複数のユーザに通知する指示が所与のサブフレーム内でターゲットｅＮＢ１３０によって与えられ得る。上記で説明したように、同様の技法がリレー制御チャネルのために利用され得る。たとえば、ＰＤＣＣＨサイズはＰＣＦＩＣＨによって制御され得るので、Ｒ−ＰＤＣＣＨサイズはＰＣＦＩＣＨによって示され得る。しかしながら、制御送信中の初期制御信号をリレーノードが受信することが可能でない場合、リレー制御チャネル構成は、リレー制御のためにいくつの追加のＲＢが利用されるかを示すＲＢの固定割振り（たとえば、１ＲＢ）を使用することによって達成され得る。一例では、追加のリレー制御ＲＢの量はサブフレームごとに変動し得る。したがって、たとえば、ＲＮ１１０によって１つまたは複数のリレーバックホール制御チャネルに関連付けられるべきリソースの量が、１つまたは複数のＲＢに対応する場合、ターゲットｅＮＢ１３０は、リレー構成メッセージング中のあらかじめ定義されたバックホールＲＢ上に、１つまたは複数のリレーバックホール制御チャネルに関連付けられるべきいくつかの追加のＲＢを埋め込み得る。
【００３９】
別の態様によれば、ＲＮ１１０において、構成シグナリングプロセッサ２１４および／または他の好適な手段は、上記で説明したように生成され、送信されるリレー構成メッセージングに基づいて１つまたは複数のリレーバックホール制御チャネルのためのリソース割振りを構成するために利用され得る。たとえば、リレー構成メッセージングがインデックス情報を含む場合、ＲＮ１１０は、１つまたは複数のリレーバックホール制御チャネルのための候補リソース割振りのセットに関係する情報と、そのセット中の候補リソース割振りにそれぞれ関連するインデックスとを取得し得る。次いで、ＲＮ１１０は、インデックス情報内に与えられているインデックスを識別し、インデックス情報内に与えられているインデックスに対応する候補リソース割振りに従って１つまたは複数のリレーバックホール制御チャネルのためのリソース割振りを構成し得る。さらに、１つまたは複数のリレーバックホール制御チャネルのためのリソース割振りがＲＢの量に対応する場合、ＲＮ１１０は、指定されたＲＢ上のリレー構成メッセージングを受信し、リレー構成メッセージング内の追加のＲＢの示された数を識別し、１つまたは複数のリレーバックホール制御チャネルによる使用のために示された数の追加のＲＢを割り振るように構成され得る。
【００４０】
さらなる態様によれば、ＲＮ１１０とターゲットｅＮＢ１３０との間の接続の初期化の後に、Ｒ−ＰＤＣＣＨおよび／または他のリレーバックホール制御チャネルのためのリソースの割振りに対応する情報が更新され得る。たとえば、ターゲットｅＮＢ１３０は、１つまたは複数のリレーバックホール制御チャネルのためにＲＮ１１０によって利用されるべき更新されたリソース割振りを識別し、更新されたリソース割振りを示す更新されたリレー構成メッセージングをＲＮ１１０に通信するように構成され得る。その後、ＲＮ１１０は、ターゲットｅＮＢ１３０から更新されたリレー構成メッセージングを受信し、更新されたリレー構成メッセージングに基づいて１つまたは複数のリレーバックホール制御チャネルの構成を更新することができる。
【００４１】
追加の態様によれば、（たとえば、ターゲットｅＮＢ１３０に対応する）ターゲットセル中にリレーリソースがない場合、モバイルＲＮ１１０は、ターゲットｅＮＢ１３０との接続を確立するために典型的なＵＥセットアップ手順からブートストラップし、その後、Ｒ−ＰＤＣＣＨおよび／または他の好適な制御チャネルをセットアップすることができる。たとえば、図３のシステム３００によって示すように、ＲＮ１１０のハンドオーバは、初めに、ＲＮ１１０がＵＥであるかのように行われ得る。その後、ハンドオーバプロセス中に、識別シグナリングモジュール３１２および／またはＲＮ１１０に関連する他の好適な手段は、ＲＮ１１０がリレーノードであることをターゲットｅＮＢ１３０に示すことができる。この指示に基づいて、識別シグナリング検出器３２２および／またはターゲットｅＮＢ１３０における他の好適な手段は、リレー制御チャネルのセットアップが初期化され得るようにＲＮ１１０をリレーノードとして識別することができる。
【００４２】
したがって、一例では、ＲＮ１１０はモバイルデバイスハンドオーバを初期化することができ、ＲＮ１１０は、ターゲットｅＮＢ１３０とのリレーノードとしての識別を確立し、ターゲットｅＮＢ１３０とのリレーノードとしての識別を確立したことに応答してターゲットｅＮＢ１３０からリレー構成メッセージングを受信することができる。相応して、ターゲットｅＮＢ１３０は、ＲＮ１１０に対する通信サービスの要求された初期化に応答してＲＮ１１０に対するモバイルデバイスハンドオーバを初期化することができる。その後、ターゲットｅＮＢ１３０は、モバイルデバイスハンドオーバに関するＲＮ１１０から受信されたシグナリングに少なくとも部分的に基づいてＲＮ１１０をリレーノードとして識別することができる。
【００４３】
上記で説明した様々な例および態様はＲ−ＰＤＣＣＨセットアップの特定の事例に関係するが、同様の技法を介して他の制御チャネルも構成され得ることを諒解されたい。たとえば、上記で説明した技法と同様の技法を使用して、ＲＮ１１０とターゲットｅＮＢ１３０との間のバックホール通信のために物理ランダムアクセスチャネル（ＰＲＡＣＨ）が構成され得る。さらに、上記で説明した技法を使用して（１つまたは複数の）任意の他の好適な制御チャネルが構成され得ることを諒解されたい。その上、別段に明記されていない限り、請求する主題は、（１つまたは複数の）特定の制御チャネルに限定されるものではない。
【００４４】
別の態様によれば、モバイルリレーが１つのｅＮＢから別のｅＮＢにハンドオーバするとき、リレーのアクセス／バックホール区分は、場合によっては修正を必要とし得る。たとえば、リレーバックホールおよびアクセスは、いくつかのサブフレームはリレー（バックホール）通信にｅＮＢ用に割り振られ、他のサブフレームはＵＥ（アクセス）通信にリレー用に割り振られるように、時間的に区分され得ることが諒解できよう。各リレーがバックホール構成への異なるアクセスを有することができる場合では、リレーが１つのｅＮＢから別のｅＮＢに移動したとき、新しいｅＮＢは、潜在的に、バックホール構成への、前のｅＮＢとは異なるアクセスを有することができる。さらに、リレーノードに関連するＵＥは、所与のセルにおいてアクセスサブフレーム上でリレーノードと通信することを予想するように構成され得る。しかしながら、新しいセルへの移動時に、アクセスサブフレームとバックホールサブフレームとの区分は変化し得る。そのような変更はリレーノードに関連するＵＥに直ちにリレーされないので、アクセス／バックホールリソース区分に関してリレーノードとの通信に関与するすべてのエンティティを同期させるための様々な技法を実装することが望ましいであろう。
【００４５】
したがって、リレーＵＥへの実質的なサービス中断なしにリレーハンドオーバを可能にするために、様々な技法を本明細書で提供する。図４のシステム４００によって示す第１の例では、リレーハンドオーバに関係するソースｅＮＢ１２０は、リレーハンドオーバに関係するターゲットｅＮＢ１３０または宛先ｅＮＢにリレーノード（図４に図示せず）の区分情報を通知することができる。たとえば、システム４００によって示すように、ソースｅＮＢ１２０は、関連するリレーノードに対応するアクセス／バックホールリソース区分に関係する情報を取得することができ、その後、ソースｅＮＢ１２０は、ターゲットｅＮＢ１３０への関連するリレーノードの要求されたハンドオーバをダイレクトするためにハンドオーバ準備モジュール４１２および／または他の好適な機構を利用することができる。さらに、要求されたハンドオーバに関して、アクセス／バックホールリソース区分をターゲットｅＮＢ１３０に示すために、ソースｅＮＢ１２０によって区分インジケータモジュール１２２および／または他の好適な手段が使用され得る。一例では、アクセス／バックホール区分は、要求されたハンドオーバより前に区分インジケータモジュール１２２によってターゲットｅＮＢ１３０に示され得る。さらに、アクセス／バックホール区分をターゲットｅＮＢ１３０に示すことによって、ソースｅＮＢ１２０は、関連するリレーノードのためにターゲットｅＮＢ１３０によって確立される、アクセスサブフレームとバックホールサブフレームとの区分および／または他のアクセス／バックホールリソース区分をダイレクトすることができることが諒解できよう。
【００４６】
さらに、ターゲットｅＮＢ１３０において、ハンドオーバ準備モジュール４１２および／または他の好適な手段を介してソースｅＮＢ１２０からのリレーノードの要求されたハンドオーバを検出すると、ターゲットｅＮＢ１３０は、バックホール構成モジュール１１２または他の機構を利用して、リレーノードのためにソースｅＮＢ１２０によって利用されるアクセス／バックホールリソース区分に関係する要求されたハンドオーバに関する情報をソースｅＮＢ１２０から受信することができる。ソースｅＮＢ１２０から受信された情報に基づいて、ターゲットｅＮＢ１３０におけるリソース区分モジュール１３２は、リレーノードに対応するアクセスサブフレームとバックホールサブフレームとの割振りを構成することができる。一例では、リレーノードのためのアクセス／バックホールリソース区分に関係する情報は、要求されたハンドオーバより前にソースｅＮＢ１２０から受信され得る。
【００４７】
一態様によれば、ターゲットｅＮＢ１３０におけるリソース区分モジュール１３２は、リレーノードのためにソースｅＮＢ１２０によって利用されるアクセス／バックホールリソース区分を実質的に保持する、リレーノードに対応するアクセスサブフレームとバックホールサブフレームとの割振りを構成するために、ソースｅＮＢ１２０から受信された情報を利用することができる。今度は、ターゲットｅＮＢ１３０は、ハンドオーバにわたって実質的にシームレスな動作を可能にするために、必要な場合、リレーノードにリソース区分を通知することができる。
【００４８】
一例では、ターゲットｅＮＢ１３０によって割り当てられたランダムアクセスチャネル（ＲＡＣＨ）オケージョン（occasion）は、リレーのための現在のＵＬバックホールサブフレームであり得る。リレーノードに関連する割り当てられたＲＡＣＨオケージョンが、リレーノードに対応するＵＬバックホールサブフレーム上で発生するように、リレーノードに対応するアクセスサブフレームとバックホールサブフレームとの割振りを構成することによって、リレーノードは、場合によっては、リレーノード能力により実質的に実際的でないまたは不可能であり得る、それのアクセスサブフレーム上で送信することを要求されるのを防ぐことができる。
【００４９】
別の例では、リレーノードに対応するアクセスサブフレームとバックホールサブフレームとの割振りは、ターゲットｅＮＢ１３０によってリレーノードに送信されるランダムアクセス応答（ＲＡＲ）がリレーノードのためのＤＬバックホールサブフレーム上で発生するように、ターゲットｅＮＢ１３０によって構成され得る。これは、たとえば、リレーノードの構成されたバックホールリソースに従ってリレーノードにおいてＲＡＲの受信を可能にするために行われ得る。
【００５０】
第３の例では、リソース区分モジュール１３２は、リレーノードに対応するそれぞれの非リムーバブルアクセスサブフレームがアクセスサブフレームとして割り振られるように、リレーノードに対応するアクセスサブフレームとバックホールサブフレームとの割振りを構成するように動作可能であり得る。本明細書で使用する非リムーバブルアクセスサブフレームは、様々な制約によりバックホールとしてリレーノードによって利用され得ないサブフレームとして定義される。特定の非限定的な例として、１０サブフレーム無線フレームでは、非リムーバブルアクセスサブフレームは、ＦＤＤのためのサブフレーム０、４、５、および９と、ＴＤＤのためのサブフレーム０、１、５、および６とを含むことができる。ＦＤＤのための非リムーバブルアクセスサブフレームの一例が図５の図５００によって示されている。一例では、非リムーバブルアクセスサブフレームは、マルチメディアブロードキャストオーバー単一周波数ネットワーク（ＭＢＳＦＮ）制約および／または他の制約のために存在し得る。たとえば、リレーノードがバックホールサブフレームをＭＢＳＦＮサブフレームとして構成する場合、非リムーバブルアクセスサブフレームは、リレーノードによってＭＢＳＦＮサブフレームとして構成され得ないサブフレームとして定義され得る。
【００５１】
別の例では、図５００によってさらに示されるように、非ＭＢＳＦＮサブフレームは、ドナーｅＮＢとは反対にリレーノードの観点から識別され得る。したがって、ｅＮＢのサブフレームと、関連するリレーノードのサブフレームとの間にオフセットが存在する場合、ｅＮＢは、リレーノードの構成に基づいて非ＭＢＳＦＮサブフレームを識別するように構成され得る。たとえば、図５００に示すように、ｅＮＢとリレーノードとの間に２サブフレームオフセットが存在する場合、ｅＮＢは、０の代わりに開始サブフレームインデックス２に従って非ＭＢＳＦＮサブフレームを識別することができる。したがって、再びシステム４００を参照すると、リソース区分モジュール１３２および／またはターゲットｅＮＢ１３０に関連する他の手段は、リレーノードに対応するサブフレームオフセットを識別し、所与の無線フレーム内で１つまたは複数の所定の非ＭＢＳＦＮサブフレーム位置に関係する情報を取得し、リレーノードに対応するサブフレームオフセットに基づいてリレーノードに関して所与の無線フレーム内で非ＭＢＳＦＮサブフレーム位置を判断するように動作可能であり得る。
【００５２】
代替態様によれば、リレーノードは、それ自体をハンドオーバのために可能にするために、宛先ｅＮＢから取得された情報（たとえば、宛先ｅＮＢのＲＡＣＨ割振りなど）に応答して、それのサブフレームおよび／または他のリソースを、アクセスからバックホールにまたはその逆に切り替えることができる。これは、図６のシステム６００によって示されている。システム６００によって示されるように、ＲＮ１１０は、バックホール通信に関連するアクセスサブフレームとバックホールサブフレームとの割振りを識別するためにバックホール構成モジュールまたは他の機構を利用することができる。その後、ソースｅＮＢからターゲットｅＮＢ１３０へのハンドオーバを初期化すると、ターゲットｅＮＢ１３０によって利用されるアクセス／バックホールサブフレーム割振りに関係する情報を取得するために、ＲＮ１１０によってチャネル割振りアナライザ６１２および／または他の手段が利用され得る。ターゲットｅＮＢ１３０によって利用されるアクセス／バックホールサブフレーム割振りに基づいて、区分調整モジュール１１４またはＲＮ１１０における他の機構は、アクセスサブフレームとバックホールサブフレームとの割振りにおいて１つまたは複数のサブフレームを調整することができる。
【００５３】
一例では、ＲＮ１１０によって利用されるアクセスサブフレームとバックホールサブフレームとの割振りにおけるサブフレームの調整は、要求されたハンドオーバより前に発生することができる。さらに、ＲＮ１１０は、ターゲットｅＮＢ１３０によって利用されるＲＡＣＨ割振りに応答して、ＲＮ１１０のアクセス／バックホール割振りにおいて１つまたは複数のサブフレームを調整することができる。たとえば、ＲＮ１１０は、ターゲットｅＮＢ１３０によって割り当てられたＲＡＣＨオケージョンがターゲットｅＮＢ１３０とのＵＬバックホールサブフレーム上で発生するように、それぞれのサブフレームの割振りを調整することができる。追加または代替として、ＲＮ１１０は、ターゲットｅＮＢ１３０によって送信されるＲＡＲがターゲットｅＮＢ１３０とのＤＬバックホールサブフレーム上で発生するように、それぞれのサブフレームの割振りを調整することができる。
【００５４】
一態様によれば、ＲＮ１１０は、ターゲットｅＮＢ１３０によって利用されるアクセス／バックホールサブフレーム割振りとの実質的なコンフォーマンスを可能にするために、アクセスサブフレームとバックホールサブフレームとの割振りにおいて１つまたは複数のサブフレームを調整する区分調整モジュール１１４を利用することができる。たとえば、ＲＮ１１０によってアクセス用に割り振られたサブフレームがターゲットｅＮＢ１３０においてバックホール用に割り振られた場合、区分調整モジュール１１４は、ＲＮ１１０においてサブフレームをアクセスからバックホールに切り替えることを可能にすることができる。一例では、ＲＮ１１０は、ＲＮ１１０によってサービスされる１つまたは複数のＵＥ（システム６００に図示せず）にそのような調整の結果を示すことができ、それにより、（１つまたは複数の）ＵＥは、（１つまたは複数の）ＵＥからＲＮ１１０への通信がＲＮ１１０のバックホールサブフレーム上で行われないように、それらのＵＥの通信スケジュールをＲＮ１１０と調整することが可能になる。
【００５５】
追加の例では、システム６００のＲＮ１１０によって実行される区分調整は、システム４００に関して説明したのと同様の方法で非ＭＢＳＦＮサブフレームおよび／または他の非リムーバブルアクセスサブフレームを考慮に入れることができる。したがって、区分調整モジュール１１４は、それぞれの非ＭＢＳＦＮサブフレームがアクセスサブフレームとして割り振られるように、アクセスサブフレームとバックホールサブフレームとの割振りにおいて１つまたは複数のサブフレームを調整するように動作可能であり得る。
【００５６】
システム４００および６００ならびにそれらの対応する記載は、アクセスおよびバックホールリソースがリレーノードのために区分され得る様々な技法について説明したが、他の技法も利用され得、別段に明記されていない限り、請求する主題は（１つまたは複数の）特定の技法に限定されるものではないことを諒解されたい。さらに、本明細書で説明する技法は、任意の好適な方法で互いにおよび／または他の好適な技法と組み合わせられ得ることを諒解されたい。
【００５７】
さらに別の態様によれば、リレーは潜在的に多数のＵＥをサービスすることができるということにより、リレーハンドオーバは、場合によっては、より高い信頼性およびサービス品質を（ＱｏＳ）必要とし得ることが諒解できよう。たとえば、上記で説明したように、リレーハンドオーバ中に無線リンク障害および／または他の障害が発生した場合、実質的にすべてのリレーＵＥは、場合によっては、延長された時間期間の間、それらのバックホール接続を失う可能性がある。したがって、リレーハンドオーバに関連してＱｏＳが保持され得る技法を実装することが望ましいであろう。これらおよび関係する目的の推進に対して実施され得る様々な手段が図７のシステム７００によって示されている。
【００５８】
一例では、ＲＮ１１０は、ターゲットｅＮＢ１３０へのリレーハンドオーバに関連するＱｏＳ要件が維持されることを保証するためにＱｏＳ保持モジュール１１６または他の好適な手段を装備することができる。たとえば、ターゲットｅＮＢ１３０へのリレーハンドオーバを初期化すると、ＱｏＳ保持モジュール１１６は、リレーハンドオーバのＱｏＳ要件を識別し、リレーハンドオーバのＱｏＳ要件が実質的に保持されるようにリレーハンドオーバに関する通信をダイレクトすることができる。相応して、追加または代替として、ターゲットｅＮＢ１３０が、リレーハンドオーバのＱｏＳ目標を維持するためにＱｏＳ保持モジュール１１６および／または他の好適な手段を利用することができる。たとえば、ターゲットｅＮＢ１３０は、ＲＮ１１０のハンドオーバに関連するＲＮ１１０に対する通信サービスの要求された初期化を検出するように動作可能であり得、それに基づいて、ＱｏＳ保持モジュール１１６は、ＲＮ１１０のハンドオーバのＱｏＳ要件を識別し、ＲＮ１１０のハンドオーバのＱｏＳ要件が実質的に保持されるようにＲＮ１１０のハンドオーバに関する通信をダイレクトすることができる。
【００５９】
一態様によれば、ＲＮ１１０および／またはターゲットｅＮＢ１３０におけるＱｏＳ保持モジュール１１６は、ハンドオーバのＱｏＳ要件が実質的に保持されるように、ＰＲＡＣＨシグナリングなど、ＲＮ１１０のハンドオーバに関連するランダムアクセスシグナリングの通信をダイレクトすることができる。非限定的な例として、これは、ＰＲＡＣＨの検出可能性を改善しおよび／またはＰＲＡＣＨ試行の数を低減することによって達成され得る。第１の例では、プリアンブルエネルギーを増加させるために、より長いプリアンブルシーケンスが使用され得るようにランダムアクセスプリアンブル構成が選択され得る。したがって、たとえば、ＲＮ１１０および／またはターゲットｅＮＢ１３０に関連するＱｏＳ保持モジュール１１６は、ランダムアクセスシグナリングに関連するそれぞれのプリアンブルシーケンスの長さを増加させるために、ランダムアクセスプリアンブル選択器７１２などに関連付けられ得る。
【００６０】
第２の例では、ＰＲＡＣＨ試行を低減するために初期ＰＲＡＣＨ送信電力が増加され得る。したがって、たとえば、ＲＮ１１０は、リレーハンドオーバに関して実行される初期ランダムアクセスシグナリングの送信電力を増加させるためにランダムアクセス電力制御モジュール７１４および／または他の好適な機構を利用することができる。さらなる一例では、初期ランダムアクセスシグナリングの電力は、あらかじめ定義されたリレー電力オフセットおよび／またはＲＮ１１０に関連する任意の他の好適な電力オフセットに基づいて増加され得る。
【００６１】
第３の例では、ターゲットｅＮＢ１３０は、ＲＮ１１０によって送信されたランダムアクセスシグナリングとの衝突を回避するために、リレーランダムアクセス領域における送信をスケジュールするのを回避するように構成され得る。したがって、たとえば、送信スケジューラ７３２および／またはターゲットｅＮＢ１３０に関連する他の機構は、ＲＮ１１０のハンドオーバに関してＲＮ１１０に関連するランダムアクセス領域を識別し、ＲＮ１１０に関連するランダムアクセス領域上での送信をスケジュールするのを控えるように動作可能であり得る。さらに、ターゲットｅＮＢ１３０は、アダプティブハイブリッド自動再送要求（ＨＡＲＱ）を使用したリレーＰＲＡＣＨと干渉するであろう再送信を、その再送信が異なるリソース上でスケジュールされ得るようにスケジュールすることができる。言い換えれば、送信スケジューラ７３２は、ＲＮ１１０のハンドオーバに関してＲＮ１１０に関連するランダムアクセス領域と潜在的に競合するものとして識別されたそれぞれの再送信が、ＲＮ１１０に関連するランダムアクセス領域に対応するリソースとは異なるリソース上で適応的にスケジュールされるように、それぞれの再送信を構成することができる。
【００６２】
第４の例では、ＲＡＲが、システム７００内で最小遅延とともに送られるように構成され得る。したがって、たとえば、ＲＮ１１０は、リレーハンドオーバに関して実行されるランダムアクセスシグナリングの後に、ＲＡＲがターゲットｅＮＢ１３０から受信され得る最大許容時間間隔に対応する標準のＵＥと比較して減少されたタイムウィンドウを有することができる。相応して、ターゲットｅＮＢ１３０は、ＲＮ１１０のハンドオーバに関してＲＮ１１０によって与えられるランダムアクセスシグナリングに応答して、ＲＡＲがＲＮ１１０に送信される時間間隔の減少とともに構成され得る。一例では、ＲＡＲが許容タイムウィンドウ内にＲＮ１１０に到着しなかった場合、ＲＮ１１０はランダムアクセスシグナリングの再送信をダイレクトすることができ、および／または場合によってはアクセス試行が反復され得る。したがって、このようにしてリレーハンドオーバに関係するランダムアクセス手順のための低減された時間間隔を利用することによって、リレーハンドオーバは、標準のＵＥの場合と比較してランダムアクセス手順の障害時に実質的に迅速に（たとえば、ミリ秒程度で）再始動され得ることが諒解できよう。
【００６３】
一態様によれば、リレーハンドオーバに関連するＱｏＳ目標を保証するための上記で提供した技法のうちの１つまたは複数は、ＲＮ１１０に関連するユーザの数に基づいて調整可能であり得る。したがって、たとえば、ＲＮ１１０が、皆無であるかまたは実質的に少数のユーザに関連付けられている場合、ＲＮ１１０のハンドオーバは、ＵＥのハンドオーバと同様の方法で行われ得る。別の例では、ＲＮ１１０のリレーハンドオーバのために利用される技法の数および／または範囲は、ＲＮ１１０によってサービスされるユーザの数に基づいてスケーラブルであり得る。
【００６４】
別の態様によれば、ＲＮ１１０は、ハンドオーバするとき、２つ以上の候補ターゲットｅＮＢを有することができる。候補ターゲットｅＮＢのこのセットは、ＲＮ１１０、ＲＮ１１０のサービングｅＮＢ、および／または任意の他の好適なエンティティによって管理され得る。したがって、初期ハンドオーバ試行が失敗した場合、ＲＮ１１０のサービングｅＮＢは、代替候補ｅＮＢにハンドオーバするようにリレーに命令することができる。別の例では、ＲＮ１１０は、候補ターゲットｅＮＢリスト７２２に対応する候補ターゲットドナーｅＮＢなど、複数の候補ターゲットドナーｅＮＢを識別することができる。その後、ターゲットドナーｅＮＢへのリレーハンドオーバの失敗を検出したことに応答して、ターゲットｅＮＢ選択器７１６または他の手段は、複数の候補ターゲットドナーｅＮＢから選択された候補ターゲットドナーｅＮＢへの代替リレーハンドオーバを初期化することができる。
【００６５】
次に図８〜図１４を参照すると、本明細書に記載の様々な態様に従って実行され得る方法が示されている。説明を簡潔にする目的で、方法を一連の行為として図示し説明するが、いくつかの行為は、１つまたは複数の態様によれば、本明細書で図示し説明する順序とは異なる順序で、および／または他の行為と同時に行われ得るので、方法は行為の順序によって限定されないことを理解し、諒解されたい。たとえば、方法は、状態図など、一連の相互に関係する状態またはイベントとして代替的に表現され得ることを、当業者は理解し、諒解するであろう。さらに、１つまたは複数の態様による方法を実装するために、図示のすべての行為が必要とされるわけではない。
【００６６】
図８を参照すると、ワイヤレス通信環境内でリレーノードのモビリティを管理するための第１の方法８００が示されている。方法８００は、たとえば、リレーノード（たとえば、ＲＮ１１０）および／または任意の他の適切なネットワークエンティティによって実行され得ることを諒解されたい。方法８００はブロック８０２において開始し、ソースドナーセル（たとえば、ソースｅＮＢ１２０）からターゲットドナーセル（たとえば、ターゲットｅＮＢ１３０）へのハンドオーバを初期化する。ブロック８０４において、ハンドオーバの初期化に応答してターゲットドナーセルからリレー構成メッセージングを受信する。ブロック８０６において、リレー構成メッセージングに基づいて１つまたは複数のリレーバックホール制御チャネルを構成することに少なくとも部分的によってターゲットドナーセルとの接続を確立する。
【００６７】
次に図９を参照すると、ワイヤレス通信環境内でリレーノードのモビリティを管理するための第２の方法９００の流れ図が示されている。方法９００は、たとえば、リレーハンドオーバのターゲットドナーセル（たとえば、ターゲットｅＮＢ１３０）および／または任意の他の適切なネットワークエンティティによって実行され得る。方法９００はブロック９０２において開始し、ネットワーク装置（たとえば、ＲＮ１１０）のハンドオーバに関連するネットワーク装置に対する通信サービスの要求された初期化を検出する。ブロック９０４において、ネットワーク装置をリレーノードとして識別する。ブロック９０６において、ネットワーク装置をリレーノードとして識別したことに応答してネットワーク装置にリレー構成メッセージングを通信することに少なくとも部分的によって１つまたは複数のリレーバックホール制御チャネル上でネットワーク装置との通信を確立する。
【００６８】
図１０に、ワイヤレス通信環境内でリレーノードのモビリティを管理するための第３の方法１０００を示す。方法１０００は、たとえば、リレーハンドオーバのソースドナーセル（たとえば、ソースｅＮＢ１２０）および／または任意の他の好適なネットワークエンティティによって実行され得る。方法１０００はブロック１００２において開始し、関連するリレーノードに対応するアクセス／バックホールリソース区分に関係する情報を取得する。ブロック１００４において、ターゲットセルへの関連するリレーノードの要求されたハンドオーバを検出する。ブロック１００６において、要求されたハンドオーバに関するターゲットセルにアクセス／バックホールリソース区分を示す。
【００６９】
次に図１１を参照すると、ワイヤレス通信環境内でリレーノードのモビリティを管理するための第４の方法１１００が示されている。方法１１００は、たとえば、リレーハンドオーバの宛先セルおよび／または任意の他の適切なネットワークエンティティによって実行され得る。方法１１００はブロック１１０２において開始し、ソースセルからのリレーノードの要求されたハンドオーバを検出する。ブロック１１０４において、要求されたハンドオーバに関するソースセルから、リレーノードのためにソースセルによって利用されるアクセス／バックホールリソース区分に関係する情報を受信する。ブロック１１０６において、ソースセルから受信された情報に少なくとも部分的に基づいてリレーノードに対応するアクセスサブフレームとバックホールサブフレームとの割振りを構成する。
【００７０】
図１２を参照すると、ワイヤレス通信環境内でリレーノードのモビリティを管理するための第５の方法１２００の流れ図が示されている。方法１２００は、たとえば、リレーノードおよび／または任意の他の適切なネットワークエンティティによって実行され得る。方法１２００はブロック１２０２において開始し、リレー通信に関連するアクセスサブフレームとバックホールサブフレームとの割振りを識別する。ブロック１２０４において、ソースｅＮＢから宛先ｅＮＢへのハンドオーバを初期化する。ブロック１２０６において、宛先ｅＮＢによって利用されるアクセス／バックホールサブフレーム割振りに関係する情報を取得する。ブロック１２０８において、宛先ｅＮＢによって利用されるアクセス／バックホールサブフレーム割振りに基づいてアクセスサブフレームとバックホールサブフレームとの割振りにおいて１つまたは複数のサブフレームを調整する。
【００７１】
図１３に、ワイヤレス通信環境内でリレーノードのモビリティを管理するための第６の方法１３００を示す。方法１３００は、たとえば、リレーハンドオーバに関与するドナーセルおよび／または任意の他の好適なネットワークエンティティによって実行され得る。方法１３００はブロック１３０２において開始し、リレーノードのハンドオーバに関連するリレーノードに対する通信サービスの要求された初期化を検出する。ブロック１３０４において、リレーノードのハンドオーバのＱｏＳ要件を識別する。ブロック１３０６において、リレーノードのハンドオーバのＱｏＳ要件が実質的に保持されるようにリレーノードのハンドオーバに関する通信をダイレクトする。
【００７２】
図１４に、ワイヤレス通信環境内でリレーノードのモビリティを管理するための第７の方法１４００を示す。方法１４００は、たとえば、リレーノードおよび／または任意の他の好適なネットワークエンティティによって実行され得る。方法１４００はブロック１４０２において開始し、ターゲットドナーｅＮＢへのリレーハンドオーバを初期化する。ブロック１４０４において、リレーハンドオーバのＱｏＳ要件を識別する。ブロック１４０６において、リレーハンドオーバのＱｏＳ要件が実質的に保持されるようにリレーハンドオーバに関する通信をダイレクトする。
【００７３】
次に図１５〜図２１を参照すると、本明細書の様々な態様に関して利用され得るそれぞれの装置１５００〜２１００が示されている。装置１５００〜２１００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。
【００７４】
最初に図１５に参照すると、ワイヤレス通信システム内でリレーノードハンドオーバの調整を可能にする第１の装置１５００が示されている。装置１５００は、リレーノード（たとえば、ＲＮ１１０）および／または任意の他の好適なネットワークエンティティによって実装され得、ドナーｅＮＢへのハンドオーバに関係する構成メッセージングをドナーｅＮＢから取得するためのモジュール１５０２と、構成メッセージングに少なくとも部分的に基づいてドナーｅＮＢとの通信のための１つまたは複数のリレーバックホール制御チャネルを初期化するためのモジュール１５０４とを含むことができる。
【００７５】
図１６に、ワイヤレス通信システム内でリレーノードハンドオーバの調整を可能にする第２の装置１６００を示す。装置１６００は、リレーハンドオーバのターゲットドナーセル（たとえば、ターゲットｅＮＢ１３０）および／または任意の他の好適なネットワークエンティティによって実装され得、ネットワークデバイスのハンドオーバに関係するネットワークデバイスに対する通信サービスの要求された初期化を識別するためのモジュール１６０２と、ネットワークデバイスをリレーノードとして識別するためのモジュール１６０４と、ネットワークデバイスをリレーノードとして識別したことに応答してネットワークデバイスとの通信のための１つまたは複数のリレーバックホール制御チャネルを確立するためのモジュール１６０６とを含むことができる。
【００７６】
次に図１７を参照すると、ワイヤレス通信システム内でリレーノードハンドオーバの調整を可能にする第３の装置１７００が示されている。装置１７００は、リレーハンドオーバのソースドナーセル（たとえば、ソースｅＮＢ１２０）および／または任意の他の好適なネットワークエンティティによって実装され得、リレーノードに対応するアクセスリソースとバックホールリソースとを識別するためのモジュール１７０２と、リレーノードの要求されたハンドオーバに対応するターゲットセルにアクセスリソースとバックホールリソースとの識別を示すためのモジュール１７０４とを含むことができる。
【００７７】
次に図１８を参照すると、ワイヤレス通信システム内でリレーノードハンドオーバの調整を可能にする第４の装置１８００が示されている。装置１８００は、リレーハンドオーバに関与するターゲットｅＮＢおよび／または任意の他の好適なネットワークエンティティによって実装され得、ソースｅＮＢからのリレーノードの要求されたハンドオーバに応答して、ソースｅＮＢから、リレーノードのためにソースｅＮＢによって利用されるアクセスリソースとバックホールリソースとの区分に関係する情報を受信するためのモジュール１８０２と、ソースｅＮＢから受信された情報に少なくとも部分的に基づいてリレーノードのためのアクセスリソースとバックホールリソースとを割り振るためのモジュール１８０４とを含むことができる。
【００７８】
図１９に、ワイヤレス通信システム内でリレーノードハンドオーバの調整を可能にする第５の装置１９００を示す。装置１９００は、リレーおよび／または任意の他の好適なネットワークエンティティによって実装され得、リレー通信に関連するアクセスリソースとバックホールリソースとの割振りを識別するためのモジュール１９０２と、ターゲットセルへのリレーハンドオーバを初期化するためのモジュール１９０４と、ターゲットセルに関連するアクセス／バックホールリソース区分に基づいてアクセスリソースとバックホールリソースとの割振りの少なくとも一部を調整するためのモジュール１９０６とを含むことができる。
【００７９】
図２０を参照すると、ワイヤレス通信システム内でリレーノードハンドオーバの調整を可能にする第６の装置２０００が示されている。装置２０００は、リレーハンドオーバを行うドナーｅＮＢおよび／または任意の他の好適なネットワークエンティティによって実装され得、リレーノードのハンドオーバの初期化と、リレーノードのハンドオーバに関連するＱｏＳ要件とを検出するためのモジュール２００２と、リレーノードのハンドオーバに関連するＱｏＳ要件が実質的に満たされるようにリレーノードのハンドオーバに関係する通信を管理するためのモジュール２００４とを含むことができる。
【００８０】
図２１に、ワイヤレス通信システム内でリレーノードハンドオーバの調整を可能にする第７の装置２１００を示す。装置２１００は、リレーノードおよび／または任意の他の好適なネットワークエンティティによって実装され得、リレーハンドオーバのターゲットセルと、リレーハンドオーバに関連するＱｏＳ要件とを識別するためのモジュール２１０２と、リレーハンドオーバに関連するＱｏＳ要件が実質的に満たされるようにリレーハンドオーバに関係する通信を管理するためのモジュール２１０４とを含むことができる。
【００８１】
次に図２２を参照すると、様々な態様によるワイヤレス多元接続通信システムの図が与えられている。一例では、アクセスポイント２２００（ＡＰ）は複数のアンテナグループを含む。図２２に示すように、１つのアンテナグループはアンテナ２２０４および２２０６を含み、別のアンテナグループはアンテナ２２０８および２２１０を含み、別のアンテナグループはアンテナ２２１２および２２１４を含むことができる。図２２では、アンテナグループごとに２つのアンテナのみが示されているが、アンテナグループごとにより多いまたはより少ないアンテナが利用され得ることを諒解されたい。別の例では、アクセス端末２２１６はアンテナ２２１２および２２１４と通信中であり得、アンテナ２２１２および２２１４は、順方向リンク２２２０上でアクセス端末２２１６に情報を送信し、逆方向リンク２２１８上でアクセス端末２２１６から情報を受信する。追加および／または代替として、アクセス端末２２２２はアンテナ２２０６および２２０８と通信中であり得、アンテナ２２０６および２２０８は、順方向リンク２２２６上でアクセス端末２２２２に情報を送信し、逆方向リンク２２２４上でアクセス端末２２２２から情報を受信する。周波数分割複信システムでは、通信リンク２２１８、２２２０、２２２４および２２２６は、通信のための異なる周波数を使用することができる。たとえば、順方向リンク２２２０は、逆方向リンク２２１８によって使用される周波数とは異なる周波数を使用し得る。
【００８２】
アンテナの各グループ、および／またはアンテナが通信するように設計されたエリアは、アクセスポイントのセクタと呼ばれることがある。一態様によれば、アンテナグループは、アクセスポイント２２００によってカバーされるエリアのセクタ中でアクセス端末に通信するように設計され得る。順方向リンク２２２０および２２２６上の通信では、アクセスポイント２２００の送信アンテナは、異なるアクセス端末２２１６および２２２２に対して順方向リンクの信号対雑音比を改善するためにビームフォーミングを利用することができる。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００８３】
アクセスポイント、たとえばアクセスポイント２２００は、端末と通信するために使用される固定局とすることができ、基地局、ｅＮＢ、アクセスネットワーク、および／または他の好適な用語で呼ばれることもある。さらに、アクセス端末、たとえばアクセス端末２２１６または２２２２は、モバイル端末、ユーザ機器、ワイヤレス通信デバイス、端末、ワイヤレス端末、および／または他の適切な用語で呼ばれることもある。
【００８４】
次に図２３を参照すると、本明細書で説明する様々な態様が機能することができる、例示的なワイヤレス通信システム２３００を示すブロック図が与えられている。一例では、システム２３００は、送信機システム２３１０と受信機システム２３５０とを含む多入力多出力（ＭＩＭＯ）システムである。ただし、送信機システム２３１０および／または受信機システム２３５０は、たとえば、（たとえば、基地局上の）複数の送信アンテナが１つまたは複数のシンボルストリームを単一のアンテナデバイス（たとえば、移動局）に送信することができる、多入力単出力システムにも適用され得ることを諒解されたい。さらに、本明細書で説明する送信機システム２３１０および／または受信機システム２３５０の態様は、単出力単入力アンテナシステムに関して利用され得ることを諒解されたい。
【００８５】
一態様によれば、送信機システム２３１０において、いくつかのデータストリームのトラフィックデータがデータソース２３１２から送信（ＴＸ）データプロセッサ２３２３に供給される。一例では、各データストリームは、次いで、それぞれの送信アンテナ２３２４を介して送信され得る。さらに、ＴＸデータプロセッサ２３１４は、コード化データを供給するために、それぞれのデータストリーム用に選択された特定のコーディング方式に基づいて、データストリームごとにトラフィックデータをフォーマットし、符号化し、インターリーブすることができる。一例では、各データストリームのコード化データは、次いで、ＯＦＤＭ技法を使用してパイロットデータで多重化され得る。パイロットデータは、たとえば、既知の方法で処理される既知のデータパターンとすることができる。さらに、パイロットデータは、チャネル応答を推定するために受信機システム２３５０において使用され得る。送信機システム２３１０に戻ると、各データストリームの多重化されたパイロットデータおよびコーディングされたデータは、変調シンボルを供給するために、それぞれのデータストリーム用に選択された特定の変調方式（たとえば、ＢＰＳＫ、ＱＳＰＫ、Ｍ−ＰＳＫ、またはＭ−ＱＡＭ）に基づいて変調（たとえば、シンボルマッピング）され得る。一例では、各データストリームのデータレート、コーディング、および変調は、プロセッサ２３３０上で実行される命令および／またはプロセッサ２３３０によって与えられる命令によって判断され得る。
【００８６】
次に、すべてのデータストリームの変調シンボルはＴＸ  ＭＩＭＯプロセッサ２３２０に供給され得、ＴＸ  ＭＩＭＯプロセッサ２３２０は、（たとえば、ＯＦＤＭ用に）変調シンボルをさらに処理することができる。次いで、ＴＸ  ＭＩＭＯプロセッサ２３２０は、ＮT個の変調シンボルストリームをＮT個のトランシーバ２３２２ａ〜２３２２ｔに供給することができる。一例では、各トランシーバ２３２２は、それぞれのシンボルストリームを受信し、処理して、１つまたは複数のアナログ信号を供給することができる。次いで、各トランシーバ２３２２は、それらのアナログ信号をさらに調整（たとえば、増幅、フィルタ処理、およびアップコンバート）して、ＭＩＭＯチャネルを介して送信するのに適した変調信号を供給することができる。したがって、トランシーバ２３２２ａ〜２３２２ｔからのＮT個の変調信号は、次いで、それぞれ、ＮT個のアンテナ２３２４ａ〜２３２４ｔから送信され得る。
【００８７】
別の態様によれば、送信された変調信号は、ＮR個のアンテナ２３５２ａ〜２３５２ｒによって受信機システム２３５０において受信され得る。次いで、各アンテナ２３５２から受信され信号は、それぞれのトランシーバ２３５４に供給され得る。一例では、各トランシーバ２３５４は、それぞれの受信信号を調整（たとえば、フィルタ処理、増幅、およびダウンコンバート）し、調整された信号をデジタル化して、サンプルを供給し、次いで、それらのサンプルを処理して、対応する「受信」シンボルストリームを供給することができる。次いで、ＲＸ  ＭＩＭＯ／データプロセッサ２３６０は、特定の受信機処理技法に基づいてＮR個のトランシーバ２３５４からＮR個の受信シンボルストリームを受信し、処理して、ＮT個の「検出」シンボルストリームを供給することができる。一例では、各検出シンボルストリームは、対応するデータストリームに関して送信される変調シンボルの推定であるシンボルを含むことができる。次いで、ＲＸプロセッサ２３６０は、各検出シンボルストリームを復調し、デインターリーブし、復号することに少なくとも部分的によって各シンボルストリームを処理して、対応するデータストリームに関するトラフィックデータを回復することができる。したがって、ＲＸデータプロセッサ２３６０による処理は、送信機システム２３１０においてＴＸ  ＭＩＭＯプロセッサ２３２０およびＴＸデータプロセッサ２３１４によって実行される処理を補足することができる。ＲＸプロセッサ２３６０は、さらに、処理されたシンボルストリームをデータシンク２３６４に供給することができる。
【００８８】
一態様によれば、ＲＸプロセッサ２３６０によって生成されるチャネル応答推定は、受信機において空間／時間処理を実行し、電力レベルを調整し、変調レートまたは方式を変更し、および／または他の適切なアクションを実行するために使用され得る。さらに、ＲＸプロセッサ２３６０は、たとえば、検出シンボルストリームの信号対雑音干渉比（ＳＮＲ）などのチャネル特性をさらに推定することができる。次いで、ＲＸプロセッサ２３６０は、推定されたチャネル特性をプロセッサ２３７０に供給することができる。一例では、ＲＸプロセッサ２３６０および／またはプロセッサ２３７０は、システムに関する「動作」ＳＮＲの推定をさらに導出することができる。次いで、プロセッサ２３７０は、通信リンクおよび／または受信データストリームに関する情報を備えることができるチャネル状態情報（ＣＳＩ）を与えることができる。この情報は、たとえば、動作ＳＮＲを含むことができる。次いで、ＣＳＩは、ＴＸデータプロセッサ２３１８によって処理され、変調器２３８０によって変調され、トランシーバ２３５４ａ〜２３５４ｒによって調整され、送信機システム２３１０に返信され得る。さらに、受信機システム２３５０にあるデータソース２３１６は、ＴＸデータプロセッサ２３１８によって処理される追加のデータを与えることができる。
【００８９】
送信機システム２３１０に戻ると、次いで、受信機システム２３５０からの変調信号は、アンテナ２３２４によって受信され、トランシーバ２３２２によって調整され、復調器２３４０によって復調され、ＲＸデータプロセッサ２３４２によって処理されて、受信機システム２３５０によって報告されたＣＳＩを回復することができる。一例では、報告されたＣＳＩは、次いで、１つまたは複数のデータストリームのために使用されるべきデータレートならびにコーディングおよび変調方式を判断するために、プロセッサ２３３０に供給され、使用され得る。次いで、判断されたコーディングおよび変調方式は、受信機システム２３５０への後の送信における量子化および／または使用のためにトランシーバ２３２２に供給され得る。追加および／または代替として、報告されたＣＳＩは、ＴＸデータプロセッサ２３１４およびＴＸ  ＭＩＭＯプロセッサ２３３０のための様々な制御を生成するためにプロセッサ２３２０によって使用され得る。別の例では、ＲＸデータプロセッサ２３４２によって処理されたＣＳＩおよび／または他の情報はデータシンク２３４４に供給され得る。
【００９０】
一例では、送信機システム２３１０にあるプロセッサ２３３０および受信機システム２３５０にあるプロセッサ２３７０は、それらのそれぞれのシステムにおいて動作を指示する。さらに、送信機システム２３１０にあるメモリ２３３２および受信機システム２３５０にあるメモリ２３７２は、それぞれプロセッサ２３３０および２３７０によって使用されるプログラムコードおよびデータの記憶域を与えることができる。さらに、受信機システム２３５０において、ＮR個の受信信号を処理して、ＮT個の送信シンボルストリームを検出するために、様々な処理技法が使用され得る。これらの受信機処理技法は、等化技法とも呼ばれることがある空間および時空間受信機処理技法、および／または「逐次干渉消去」もしくは「逐次消去」受信機処理技法とも呼ばれることがある「逐次ヌル化／等化および干渉消去」受信機処理技法を含むことができる。
【００９１】
本明細書で説明する態様は、ハードウェア、ソフトウェア、ファームウェア、ミドルウェア、マイクロコード、またはそれらの任意の組合せで実装され得ることを理解されたい。システムおよび／または方法は、ソフトウェア、ファームウェア、ミドルウェアまたはマイクロコード、プログラムコードまたはコードセグメントにおいて実装した場合、記憶構成要素などの機械可読媒体に記憶され得る。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、好適な手段を使用してパス、フォワーディング、または送信され得る。
【００９２】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され、その場合、当技術分野で知られているように様々な手段によってプロセッサに通信可能に結合され得る。
【００９３】
上記の説明は１つまたは複数の態様の例を含む。もちろん、上述の態様について説明する目的で、構成要素または方法のあらゆる考えられる組合せについて説明することは不可能であるが、当業者なら、様々な態様の多数のさらなる組合せおよび置換が可能であることを認識できよう。したがって、説明した態様は、添付の特許請求の範囲の趣旨および範囲内に入るすべてのそのような改変形態、変更形態、および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、発明を実施するための形態または特許請求の範囲のいずれかで使用される「または（or）」という用語は、「非排他的なまたは（non-exclusive or）」を意味するものとする。
以下に、本願出願の当初の特許請求の範囲に記載された発明を付記する。
〔１〕
ソースドナーセルからターゲットドナーセルへのハンドオーバを初期化することと、
前記ハンドオーバの初期化に応答して前記ターゲットドナーセルからリレー構成メッセージングを受信することと、
前記リレー構成メッセージングに基づいて１つまたは複数のリレーバックホール制御チャネルを構成することに少なくとも部分的によって前記ターゲットドナーセルとの接続を確立することと
を備える、方法。
〔２〕
前記１つまたは複数のリレーバックホール制御チャネルがリレー物理ダウンリンク制御チャネル（Ｒ−ＰＤＣＣＨ）を備える、〔１〕に記載の方法。
〔３〕
前記確立することが、関連するユーザの数に応じて、および前記リレー構成メッセージングに少なくとも部分的に基づいて、前記１つまたは複数のリレーバックホール制御チャネルのために割り振るべきリソースの量を判断することを備える、〔１〕に記載の方法。
〔４〕
前記リレー構成メッセージングが、ユニキャストレイヤ３（Ｌ３）メッセージまたはレイヤ１（Ｌ１）シグナリングのうちの少なくとも１つを備え、
前記確立することが、前記ユニキャストＬ３メッセージまたは前記Ｌ１シグナリングに基づいて前記１つまたは複数のリレーバックホール制御チャネルのためのリソース割振りを構成することを備える
〔１〕に記載の方法。
〔５〕
前記リレー構成メッセージングがインデックス情報を備え、
前記構成することが、
前記１つまたは複数のリレーバックホール制御チャネルのための候補リソース割振りのセットに関係する情報と、候補リソース割振りの前記セット中の候補リソース割振りにそれぞれ関連するインデックスを取得することと、
前記インデックス情報内に与えられているインデックスを識別することと、
前記インデックス情報内に与えられている前記インデックスに対応する候補リソース割振りに従って前記１つまたは複数のリレーバックホール制御チャネルのためのリソース割振りを構成することと
を備える
〔１〕に記載の方法。
〔６〕
前記１つまたは複数のリレーバックホール制御チャネルのための前記リソース割振りがリソースブロック（ＲＢ）の量に対応し、
前記構成することが、前記リレー構成メッセージング内の追加のＲＢの示された数を識別することと、前記１つまたは複数のリレーバックホール制御チャネルによる使用のために前記示された数の追加のＲＢを割り振ることとを備える
〔５〕に記載の方法。
〔７〕
前記ターゲットドナーセルから更新されたリレー構成メッセージングを受信することと、
前記更新されたリレー構成メッセージングに基づいて前記１つまたは複数のリレーバックホール制御チャネルの構成を更新することと
をさらに備える、〔１〕に記載の方法。
〔８〕
前記初期化することが、モバイルデバイスハンドオーバを初期化することを備え、
前記受信することが、前記ターゲットドナーセルとのリレーノードとしての識別を確立することと、前記ターゲットドナーセルとのリレーノードとしての識別を確立したことに応答して前記ターゲットドナーセルから前記リレー構成メッセージングを受信することとを備える
〔１〕に記載の方法。
〔９〕
ソースドナーセルとターゲットドナーセルとに関係するデータを記憶するメモリと、
前記ソースドナーセルから前記ターゲットドナーセルへのハンドオーバを初期化し、前記ハンドオーバの初期化に応答して前記ターゲットドナーセルからリレー構成メッセージングを受信し、前記リレー構成メッセージングに基づいて１つまたは複数のリレーバックホール制御チャネルを構成することに少なくとも部分的によって前記ターゲットドナーセルとの接続を確立するように構成されたプロセッサと
を備える、ワイヤレス通信装置。
〔１０〕
前記１つまたは複数のリレーバックホール制御チャネルがリレー物理ダウンリンク制御チャネル（Ｒ−ＰＤＣＣＨ）を備える、〔９〕に記載のワイヤレス通信装置。
〔１１〕
前記リレー構成メッセージングが、ユニキャストレイヤ３（Ｌ３）メッセージまたはレイヤ１（Ｌ１）シグナリングのうちの少なくとも１つを備え、前記プロセッサが、前記ユニキャストＬ３メッセージまたは前記Ｌ１シグナリングに基づいて前記１つまたは複数のリレーバックホール制御チャネルのためのリソース割振りを構成するようにさらに構成された、〔９〕に記載のワイヤレス通信装置。
〔１２〕
前記リレー構成メッセージングがインデックス情報を備え、
前記プロセッサが、前記１つまたは複数のリレーバックホール制御チャネルのための候補リソース割振りのセットに関係する情報と、候補リソース割振りの前記セット中の候補リソース割振りにそれぞれ関連するインデックスとを取得し、前記インデックス情報内に与えられているインデックスを識別し、前記インデックス情報内に与えられている前記インデックスに対応する候補リソース割振りに従って前記１つまたは複数のリレーバックホール制御チャネルのためのリソース割振りを構成するようにさらに構成された
〔９〕に記載のワイヤレス通信装置。
〔１３〕
前記１つまたは複数のリレーバックホール制御チャネルのための前記リソース割振りがリソースブロック（ＲＢ）の量に対応し、
前記プロセッサが、前記リレー構成メッセージング内の追加のＲＢの示された数を識別し、前記１つまたは複数のリレーバックホール制御チャネルによる使用のために前記示された数の追加のＲＢを割り振るようにさらに構成された
〔１２〕に記載のワイヤレス通信装置。
〔１４〕
前記プロセッサが、モバイルデバイスハンドオーバを初期化し、前記ターゲットドナーセルとのリレーノードとしての識別を確立し、前記ターゲットドナーセルとのリレーノードとしての識別を確立したことに応答して前記ターゲットドナーセルから前記リレー構成メッセージングを受信するようにさらに構成された、〔９〕に記載のワイヤレス通信装置。
〔１５〕
ドナー発展型ノードＢ（ｅＮＢ）へのハンドオーバに関係する構成メッセージングを前記ドナーｅＮＢから取得するための手段と、
前記構成メッセージングに少なくとも部分的に基づいて前記ドナーｅＮＢとの通信のための１つまたは複数のリレーバックホール制御チャネルを初期化するための手段と
を備える、装置。
〔１６〕
前記１つまたは複数のリレーバックホール制御チャネルがリレー物理ダウンリンク制御チャネル（Ｒ−ＰＤＣＣＨ）を備える、〔１５〕に記載の装置。
〔１７〕
前記構成メッセージングが、ユニキャストレイヤ３（Ｌ３）メッセージまたはレイヤ１（Ｌ１）シグナリングのうちの少なくとも１つを備え、
前記初期化するための手段が、前記ユニキャストＬ３メッセージまたは前記Ｌ１シグナリングに基づいて前記１つまたは複数のリレーバックホール制御チャネルのためのリソース割振りを構成するための手段を備える
〔１５〕に記載の装置。
〔１８〕
前記装置が、前記ドナーｅＮＢへの前記ハンドオーバをモバイルデバイスハンドオーバとして初期化するための手段をさらに備え、
前記取得するための手段が、
前記ドナーｅＮＢとのリレーノードとしての識別を確立するための手段と、
前記ドナーｅＮＢとのリレーノードとしての識別を確立したことに応答して前記ドナーｅＮＢから前記構成メッセージングを取得するための手段と
を備える
〔１５〕に記載の装置。
〔１９〕
ドナー発展型ノードＢ（ｅＮＢ）へのハンドオーバに関係する構成メッセージングを前記ドナーｅＮＢから取得することをコンピュータに行わせるためのコードと、
前記構成メッセージングに少なくとも部分的に基づいて前記ドナーｅＮＢとの通信のための１つまたは複数のリレーバックホール制御チャネルを初期化することをコンピュータに行わせるためのコードと
を備える、コンピュータ可読媒体
を備える、コンピュータプログラム製品。
〔２０〕
ネットワーク装置のハンドオーバに関連する前記ネットワーク装置に対する通信サービスの要求された初期化を検出することと、
前記ネットワーク装置をリレーノードとして識別することと、
前記ネットワーク装置をリレーノードとして識別したことに応答して前記ネットワーク装置にリレー構成メッセージングを通信することに少なくとも部分的によって１つまたは複数のリレーバックホール制御チャネル上で前記ネットワーク装置との通信を確立することと
を備える、方法。
〔２１〕
前記１つまたは複数のリレーバックホール制御チャネルがリレー物理ダウンリンク制御チャネル（Ｒ−ＰＤＣＣＨ）を備える、〔２０〕に記載の方法。
〔２２〕
前記確立することが、前記ネットワーク装置にユニキャストレイヤ３（Ｌ３）リレー構成メッセージングまたはレイヤ１（Ｌ１）リレー構成メッセージングのうちの少なくとも１つを通信することを備える、〔２０〕に記載の方法。
〔２３〕
前記確立することは、前記リレー構成メッセージングを介して前記ネットワーク装置によって前記１つまたは複数のリレーバックホール制御チャネルに関連付けられるべきリソースの量をダイレクトすることを備える、〔２０〕に記載の方法。
〔２４〕
前記ダイレクトすることは、サービスされるリレーノードの数に応じて前記ネットワーク装置によって前記１つまたは複数のリレーバックホール制御チャネルに関連付けられるべきリソースの前記量をダイレクトすることを備える、〔２３〕に記載の方法。
〔２５〕
前記ダイレクトすることが、
少なくとも１つの候補リソース割振りと、前記少なくとも１つの候補リソース割振りにそれぞれ関連するインデックスとを識別することと、
前記１つまたは複数のリレーバックホール制御チャネルのために前記ネットワーク装置によって利用されるべき候補リソース割振りと、前記ネットワーク装置によって利用されるべき前記候補リソース割振りに対応するインデックスとを選択し、それによって選択されたインデックスを取得することと、
前記リレー構成メッセージング内で前記選択されたインデックスを前記ネットワーク装置に通信することと
を備える、〔２３〕に記載の方法。
〔２６〕
前記ネットワーク装置によって前記１つまたは複数のリレーバックホール制御チャネルに関連付けられるべきリソースの前記量が１つまたは複数のリソースブロック（ＲＢ）に対応し、
前記ダイレクトすることが、前記リレー構成メッセージング中のあらかじめ定義されたバックホールＲＢ上に、前記１つまたは複数のリレーバックホール制御チャネルに関連付けられるべきいくつかの追加のＲＢを埋め込むことを備える
〔２３〕に記載の方法。
〔２７〕
前記１つまたは複数のリレーバックホール制御チャネルのために前記ネットワーク装置によって利用されるべき更新されたリソース割振りを識別することと、
前記更新されたリソース割振りを示す更新されたリレー構成メッセージングを前記ネットワーク装置に通信することと
をさらに備える、〔２３〕に記載の方法。
〔２８〕
前記方法が、前記ネットワーク装置に対する通信サービスの前記要求された初期化に応答して前記ネットワーク装置に対するモバイルデバイスハンドオーバを初期化することをさらに備え、
前記識別することが、前記モバイルデバイスハンドオーバに関する前記ネットワーク装置から受信されたシグナリングに少なくとも部分的に基づいて前記ネットワーク装置をリレーノードとして識別することを備える
〔２０〕に記載の方法。
〔２９〕
ネットワーク装置に関係するデータを記憶するメモリと、
前記ネットワーク装置のハンドオーバに関連する前記ネットワーク装置に対する通信サービスの要求された初期化を検出し、前記ネットワーク装置をリレーノードとして識別し、前記ネットワーク装置をリレーノードとして識別したことに応答して前記ネットワーク装置にリレー構成メッセージングを通信することに少なくとも部分的によって１つまたは複数のリレーバックホール制御チャネル上で前記ネットワーク装置との通信を確立するように構成されたプロセッサと
を備える、ワイヤレス通信装置。
〔３０〕
前記１つまたは複数のリレーバックホール制御チャネルがリレー物理ダウンリンク制御チャネル（Ｒ−ＰＤＣＣＨ）を備える、〔２９〕に記載のワイヤレス通信装置。
〔３１〕
前記プロセッサが、前記ネットワーク装置にユニキャストレイヤ３（Ｌ３）リレー構成メッセージングまたはレイヤ１（Ｌ１）リレー構成メッセージングのうちの少なくとも１つを通信するようにさらに構成された、〔２９〕に記載のワイヤレス通信装置。
〔３２〕
前記プロセッサが、前記リレー構成メッセージングを介して前記ネットワーク装置によって前記１つまたは複数のリレーバックホール制御チャネルに関連付けられるべきリソースの量をダイレクトするようにさらに構成された、〔２９〕に記載のワイヤレス通信装置。
〔３３〕
前記プロセッサが、少なくとも１つの候補リソース割振りと、前記少なくとも１つの候補リソース割振りにそれぞれ関連するインデックスとを識別し、前記１つまたは複数のリレーバックホール制御チャネルのために前記ネットワーク装置によって利用されるべき候補リソース割振りと、前記ネットワーク装置によって利用されるべき前記候補リソース割振りに対応するインデックスとを選択し、それによって選択されたインデックスを取得し、前記リレー構成メッセージング内で前記選択されたインデックスを前記ネットワーク装置に通信するようにさらに構成された、〔３２〕に記載のワイヤレス通信装置。
〔３４〕
前記ネットワーク装置によって前記１つまたは複数のリレーバックホール制御チャネルに関連付けられるべきリソースの前記量が１つまたは複数のリソースブロック（ＲＢ）に対応し、
前記プロセッサが、前記リレー構成メッセージング中のあらかじめ定義されたバックホールＲＢ上に、前記１つまたは複数のリレーバックホール制御チャネルに関連付けられるべきいくつかの追加のＲＢを埋め込むようにさらに構成された
〔３２〕に記載のワイヤレス通信装置。
〔３５〕
前記プロセッサが、前記ネットワーク装置に対する通信サービスの前記要求された初期化に応答して前記ネットワーク装置に対するモバイルデバイスハンドオーバを初期化し、
前記モバイルデバイスハンドオーバに関する前記ネットワーク装置から受信されたシグナリングに少なくとも部分的に基づいて前記ネットワーク装置をリレーノードとして識別するようにさらに構成された、〔２９〕に記載のワイヤレス通信装置。
〔３６〕
ネットワークデバイスのハンドオーバに関係する前記ネットワークデバイスに対する通信サービスの要求された初期化を識別するための手段と、
前記ネットワークデバイスをリレーノードとして識別するための手段と、
前記ネットワークデバイスをリレーノードとして識別したことに応答して前記ネットワークデバイスとの通信のための１つまたは複数のリレーバックホール制御チャネルを確立するための手段と
を備える、装置。
〔３７〕
前記１つまたは複数のリレーバックホール制御チャネルがリレー物理ダウンリンク制御チャネル（Ｒ−ＰＤＣＣＨ）を備える、〔３６〕に記載の装置。
〔３８〕
前記確立するための手段が、前記ネットワークデバイスにユニキャストレイヤ３（Ｌ３）リレー構成メッセージングまたはレイヤ１（Ｌ１）リレー構成シグナリングのうちの少なくとも１つを通信する手段を備える、〔３６〕に記載の装置。
〔３９〕
前記確立するための手段が、前記ネットワークデバイスによって前記１つまたは複数のリレーバックホール制御チャネルに関連付けられるべきリソースの量をダイレクトするための手段を備える、〔３６〕に記載の装置。
〔４０〕
前記装置が、前記ネットワークデバイスに対する通信サービスの前記要求された初期化に応答して前記ネットワークデバイスに対するモバイルデバイスハンドオーバを初期化するための手段をさらに備え、
前記ネットワークデバイスをリレーノードとして識別するための前記手段が、前記モバイルデバイスハンドオーバに関する前記ネットワークデバイスから受信されたシグナリングに少なくとも部分的に基づいて前記ネットワークデバイスをリレーノードとして識別するための手段を備える
〔３６〕に記載の装置。
〔４１〕
ネットワークデバイスのハンドオーバに関係する前記ネットワークデバイスに対する通信サービスの要求された初期化を識別することをコンピュータに行わせるためのコードと、
前記ネットワークデバイスをリレーノードとして識別することをコンピュータに行わせるためのコードと、
前記ネットワークデバイスをリレーノードとして識別したことに応答して前記ネットワークデバイスとの通信のための１つまたは複数のリレーバックホール制御チャネルを確立することをコンピュータに行わせるためのコードと
を備える、コンピュータ可読媒体
を備える、コンピュータプログラム製品。
【図１】
0005529271.tif 000002
【図２】
0005529271.tif 000003
【図３】
0005529271.tif 000004
【図４】
0005529271.tif 000005
【図５】
0005529271.tif 000006
【図６】
0005529271.tif 000007
【図７】
0005529271.tif 000008
【図８】
0005529271.tif 000009
【図９】
0005529271.tif 000010
【図１０】
0005529271.tif 000011
【図１１】
0005529271.tif 000012
【図１２】
0005529271.tif 000013
【図１３】
0005529271.tif 000014
【図１４】
0005529271.tif 000015
【図１５】
0005529271.tif 000016
【図１６】
0005529271.tif 000017
【図１７】
0005529271.tif 000018
【図１８】
0005529271.tif 000019
【図１９】
0005529271.tif 000020
【図２０】
0005529271.tif 000021
【図２１】
0005529271.tif 000022
【図２２】
0005529271.tif 000023
【図２３】
0005529271.tif 000024